(57)【要約】少なくとも１つの洗濯ケア成分と、ロイコ組成物と、０．０５重量％〜１５重量％の一級アミン化合物と、０．００５重量％〜５重量％の酸化防止剤と、を含む洗濯ケア組成物。【特許請求の範囲】
【請求項１】
（ａ）少なくとも１つの洗濯ケア成分と、（ｂ）ロイコ組成物と、（ｃ）０．１重量％〜１５重量％の、二級アミン、第三級アミン、及びこれらの混合物からなる群から選択されるアミンと、を含む洗濯ケア組成物であって、二級及び三級のアミンの合計当量が、一級アミンの当量よりも多い、洗濯ケア組成物。
【請求項２】
前記アミンが、１０００ｇ／モル未満の分子量を有する、請求項１に記載の洗濯ケア組成物。
【請求項３】
０．００５重量％〜５重量％の酸化防止剤を更に含む、請求項１又は２に記載の洗濯ケア組成物。
【請求項４】
前記酸化防止剤が、少なくとも１つのヒンダードフェノールを含む、請求項１〜３のいずれか一項に記載の洗濯ケア組成物。
【請求項５】
前記ロイコ組成物が、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択される化合物を含む、請求項１〜４のいずれか一項に記載の洗濯ケア組成物。
【請求項６】
前記ロイコ化合物が、
【化１】
2020535294.tif 000023
（ｆ）これらの混合物
からなる群から選択される１つ以上の化合物から選択され、
式Ｉ〜Ｖとその酸化形態との比が、少なくとも１：３であり、環Ａ、Ｂ、及びＣのそれぞれにおける各個々のＲｏ、Ｒｍ及びＲｐ基は、独立して、水素、重水素、及びＲ５からなる群から選択され、各Ｒ５は、独立して、ハロゲン、ニトロ、アルキル、置換アルキル、アリール、置換アリール、アルカリル、置換アルカリル、−（ＣＨ２）ｎ−Ｏ−Ｒ１、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、３つの前記環Ａ、Ｂ又はＣの少なくとも１つにおけるＲｏ及びＲｍ基の少なくとも１つは、水素であり、各Ｒｐは、独立して、水素、−ＯＲ１及び−ＮＲ１Ｒ２から選択され、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、及びホスフィンオキシドからなる群から選択され、
Ｒ１、Ｒ２及びＲ３は、独立して、水素、アルキル、置換アルキル、アリール、置換アリール、アルカリル、置換アルカリル、及びＲ４からなる群から選択され、Ｒ４は、１つ以上の有機モノマーで構成される有機基であり、前記モノマーの分子量が２８〜５００の範囲であり、
ｅ及びｆは、独立して、０〜４の整数であり、
各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、
各Ｒ２５は、独立して、単糖部分、二糖部分、オリゴ糖部分、多糖部分、−Ｃ（Ｏ）Ｒ１、−Ｃ（Ｏ）ＯＲ１、−Ｃ（Ｏ）ＮＲ１Ｒ２からなる群から選択され、
各Ｒ２２及びＲ２３は、独立して、水素、アルキル基、及び置換アルキル基からなる群から選択され、
Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、
Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、
ｇ及びｈは、独立して、０〜４の整数であり、
各Ｒ３１及びＲ３２は、独立して、アルキル基、置換アルキル基、アリール基、置換アリール基、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、
−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリル、置換アルカリル、及びＲ４からなる群から選択され、
Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基同士が結合して、５員以上の縮合環を形成してもよく、前記縮合環の原子の２つ以下が窒素原子であってもよく、
Ｘ４０は、酸素原子、硫黄原子、及びＮＲ４５からなる群から選択され、
Ｒ４５は、独立して、水素、重水素、アルキル、置換アルキル、アリール、置換アリール、アルカリル、置換アルカリル、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、
Ｒ４０及びＲ４１は、独立して、−（ＣＨ２）ｎ−Ｏ−Ｒ１、−（ＣＨ２）ｎ−ＮＲ１Ｒ２からなる群から選択され、添え字ｎは、０〜４、好ましくは０〜１、最も好ましくは０の整数であり、
ｊ及びｋは、独立して、０〜３の整数であり、
Ｒ４２及びＲ４３は、独立して、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−ＯＲ１、−ＮＲ１Ｒ２からなる群から選択され、
Ｒ４４は、−Ｃ（Ｏ）Ｒ１、−Ｃ（Ｏ）ＮＲ１Ｒ２、及び−Ｃ（Ｏ）ＯＲ１であり、
前記化合物のいずれかに存在する任意の電荷が、好適な独立して選択される内部又は外部対イオンと平衡される、請求項１〜５のいずれかに記載の洗濯ケア組成物。
【請求項７】
前記ロイコ化合物が、式Ｉの化合物である、請求項６に記載の洗濯ケア組成物。
【請求項８】
異なるＡ、Ｂ、及びＣ環の２つのＲｏ基同士が結合して、５員以上の縮合環を形成する、請求項６又は７に記載の洗濯ケア組成物。
【請求項９】
前記縮合環が６員以上であり、異なるＡ、Ｂ、及びＣ環の２つのＲｏ基同士が結合して、１つ以上のへテロ原子を含有する有機リンカーを形成する、請求項６〜８のいずれか一項に記載の洗濯ケア組成物。
【請求項１０】
３つの環Ａ、Ｂ又はＣのすべてにおけるＲｏ及びＲｍ基のすべてが、水素である、請求項６〜９のいずれか一項に記載の洗濯ケア組成物。
【請求項１１】
各Ｒｐが、独立して選択される−ＮＲ１Ｒ２基である、請求項６〜１０のいずれか一項に記載の洗濯ケア組成物。
【請求項１２】
Ｒ４が、アルキレンオキシ、オキソアルキレンオキシ、オキソアルキレンアミン、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される、請求項６〜１１のいずれか一項に記載の洗濯ケア組成物。
【請求項１３】
前記好適な独立して選択される外部対イオンが、Ｎａ、Ｋ、Ｍｇ、Ｃａ、イミニウム、アンモニウム、ホスホニウム、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレン−ビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホネートからなる群から選択される、請求項６〜１２のいずれか一項に記載の洗濯ケア組成物。
【請求項１４】
前記洗濯ケア成分が、界面活性剤、ビルダー、キレート剤、移染防止剤、分散剤、酵素、酵素安定剤、触媒物質、漂白活性剤、ポリマー分散剤、泥汚れ除去剤、再付着防止剤、増白剤、抑泡剤、染料、香料、香料送達系、構造化剤、布地柔軟剤、キャリア、ヒドロトロープ、加工助剤、顔料、酸化防止剤、及びこれらの混合物からなる群から選択される、請求項１〜１３のいずれか一項に記載の洗濯ケア組成物。
【請求項１５】
織物物品を処理する方法であって、（ａ）請求項１〜１４のいずれか一項に記載の洗濯ケア組成物を提供する工程と、（ｂ）前記洗濯ケア組成物を液体媒体に添加する工程と、（ｃ）前記液体媒体中に織物物品を入れる工程と、（ｄ）任意選択的に、前記織物をすすぐ工程と、（ｅ）前記織物物品を乾燥する工程と、を含む、方法。
【発明の詳細な説明】
【技術分野】
【０００１】
本出願は、保管時の変換が減少したロイコ着色剤を含有する液体洗濯ケア組成物、及び織物物品の洗濯におけるその使用について記載する。一級アミンの量を最小限に抑えることによって、及び／又は酸化防止剤を一級アミンと共配合することによって、ロイコ着色剤を含有する洗濯ケア組成物は、保管時の変換が減少するが、依然として、洗濯ケア組成物で洗浄するか又は他の方法で処理した織物物品の明らかな若しくは視覚的に知覚される白色度を増強するように又は当該織物物品に所望の色相を付与するように設計されている。
【背景技術】
【０００２】
経年により、布地基材は、光、空気、汚れへの暴露、及び基材に含まれる繊維の自然劣化により、色あせ又は黄変する傾向がある。そのため、これら織物基材を視覚的に改良し、色あせ及び黄変を相殺するために、消費者製品を着色するための高分子着色剤の使用が従来技術において周知となっている。例えば、織物用途においては、蛍光増白剤又は青味剤のいずれかのホワイトニング剤を使用することが周知である。しかしながら、従来の増白剤は、織物基材上に付着した際にその白色化効果を呈し、時間と共にその効果を失う傾向がある。
【０００３】
また、ロイコ染料は、特定の化学的又は物理的な発色誘発因子に曝露された際に、無色又はわずかに有色の状態から有色の状態への変化を呈することも従来技術において既知である。生じる呈色の変化は、典型的には、人間の目で視覚的に知覚可能である。これら化合物の多くは、可視光領域（４００〜７５０ｎｍ）において多少の吸光度を有するので、程度の差はあれ、多少の色を有する。本発明では、染料は、その適用濃度及び条件ではそれほど発色しなかったが、発色誘発発色誘発された形態では著しく発色する場合、「ロイコ染料」であるとみなされる。発色誘発された際の色変化は、４００〜７５０ｎｍの範囲、好ましくは５００〜６５０ｎｍの範囲、最も好ましくは５３０〜６２０ｎｍの範囲におけるロイコ染料分子のモル減衰係数（一部の文献ではモル吸光係数、モル吸収係数、及び／又はモル吸光率としても知られている）の変化に起因する。発色誘発前後のロイコ染料のモル減衰係数の増加は、５０％よりも大きく、より好ましくは２００％よりも大きく、最も好ましくは５００％よりも大きくなければならない。
【０００４】
したがって、本明細書に記載されるロイコ着色剤が、ホワイトニング剤としての使用に理想的に適し得ることが、本発明の範囲内であると想到される。しかしながら、従来のロイコ着色剤は、洗剤中における保管時には無色の形態を維持し、消費者による使用中又は使用後に、有色の又は大幅により高度に有色の状態への発色誘発による変化を生じる程度に有効であり得るが、その反応を制御することは困難である。具体的には、使用前に有色形態を生じる反応を抑制する必要性と、製品の使用後に同じ反応を加速させる必要性とのバランスをとることが困難になる。
【発明の概要】
【発明が解決しようとする課題】
【０００５】
アミンは、酸形態であるアニオン性界面活性剤を中和するのに好ましい剤であり、アミン中和型界面活性剤は、液体洗濯ケア組成物において一般的になっている。しかしながら、一級アミンの存在は、ロイコ着色剤の変換を促進し、保管時の変換に対してロイコ着色剤を安定化させることを困難にする。したがって、アミン中和型アニオン性界面活性剤を含む液体洗濯ケア配合物における保管時の変換を遅らせる一方で、使用時に分子を変換する能力を保持している必要性が依然として存在する。
【０００６】
驚くべきことに、本明細書で請求される、ロイコ着色剤とアミンとを含む液体洗濯ケア組成物は、一級アミンの量を最小限に抑えかつ／又は酸化防止剤を含めることによって、織物物品上に所望の消費者向け白色度効果を提供する一方で、使用前に有色形態になる反応を最小限に抑えることが見出された。
【課題を解決するための手段】
【０００７】
一態様では、本発明は、少なくとも１つの洗濯ケア成分と、ロイコ組成物と、０．０５重量％〜１５重量％の一級アミン化合物と、０．００５重量％〜５重量％の酸化防止剤と、を含む洗濯ケア組成物を提供する。一級アミン化合物は、ヘビーデューティー液体洗剤中に好ましくは０．１重量％〜５重量％、より好ましくは０．５重量％〜３重量％、単位用量洗剤中に３重量％〜１５重量％、より好ましくは５重量％〜１３重量％存在する。
【０００８】
一態様では、本発明は、少なくとも１つの洗濯ケア成分と、ロイコ組成物と、液体洗濯ケア組成物１ｋｇあたり０．０１６〜２．４５６モル／ｋｇの一級アミン化合物と、０．００５重量％〜５重量％の酸化防止剤と、を含む洗濯ケア組成物を提供する。一級アミン化合物は、ヘビーデューティー液体洗剤中に好ましくは０．０１６〜０．８１９、より好ましくは０．０８２〜０．４９１モル／ｋｇ、単位用量洗剤中に０．４９１〜２．４５６、より好ましくは０．８１９〜２．１２８モル／ｋｇで存在する。一級アミンがモノエタノールアミンである場合、上に列挙したモル／ｋｇを、先行する段落における重量％の値に換算する。一級アミン化合物は広く異なる分子量を有し得るので、必要とされるアミンの重量が、上に表される重量％の値とは著しく異なっている場合があり、アミンの濃度の制限に関する別の記載では、測定単位としてモル／ｋｇ（液体洗濯ケア配合物）を用いることができる。
【０００９】
別の態様では、本発明は、少なくとも１つの洗濯ケア成分と、ロイコ組成物と、０．０１６〜２．４５６モル／ｋｇの、二級アミン、三級アミン、及びこれらの混合物からなる群から選択されるアミンと、を含む洗濯ケア組成物を提供する。二級アミン、三級アミン、又はこれらの混合物は、ヘビーデューティー液体洗剤中に好ましくは０．０１６〜０．８１９、より好ましくは０．０８２〜０．４９１モル／ｋｇ、単位用量洗剤中に０．４９１〜２．４５６、より好ましくは０．８１９〜２．１２８モル／ｋｇで存在する。
【００１０】
別の態様では、本発明は、少なくとも１つの洗濯ケア成分と、ロイコ組成物と、０．１重量％〜３０重量％、好ましくは１．０重量％〜２５重量％、より好ましくは２．０重量％〜２０重量％の、二級アミン、三級アミン、及びこれらの混合物からなる群から選択されるアミンと、を含む洗濯ケア組成物を提供する。二級及び三級アミンの合計当量は、一級アミンの当量よりも多い。
【００１１】
本発明は、本発明による洗濯ケア組成物で織物物品を処理するための方法を更に包含する。
【発明を実施するための形態】
【００１２】
定義
本明細書で使用するとき、用語「アルコキシ」は、Ｃ１〜Ｃ８アルコキシ、及びブチレンオキシド、グリシドールオキシド、エチレンオキシド、又はプロピレンオキシドなどの繰り返し単位を有するポリオールのアルコキシ誘導体を含むことを意図する。
【００１３】
本明細書で使用するとき、互換可能な用語「アルキレンオキシ」及び「オキシアルキレン」、並びに互換可能な用語「ポリアルキレンオキシ」及び「ポリオキシアルキレン」は、一般に、以下の繰り返し単位：−Ｃ２Ｈ４Ｏ−、−Ｃ３Ｈ６Ｏ−、−Ｃ４Ｈ８Ｏ−、及びこれらの任意の組み合わせの１つ又は２つ以上をそれぞれ含有する分子構造を指す。これらの基に対応する非限定的な構造としては、例えば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−、及び−ＣＨ２ＣＨ（ＣＨ２ＣＨ３）Ｏ−が挙げられる。更に、ポリオキシアルキレン構成成分は、Ｃ２〜２０アルキレンオキシ基、グリシジル基、又はこれらの混合物から選択される１つ以上のモノマーからなる群から選択されてもよい。
【００１４】
本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００１５】
本明細書で使用するとき、用語「アルキル」及び「アルキル末端保護された」は、置換又は無置換の炭化水素から水素原子を除去することによって形成される任意の一価基を意味することを意図する。非限定的な例としては、Ｃ１〜Ｃ１８アルキル基、一態様では、Ｃ１〜Ｃ６アルキル基を含む分岐状又は非分岐状、置換又は無置換のヒドロカルビル部分が挙げられる。
【００１６】
本明細書で使用するとき、特に明記しない限り、用語「アリール」は、Ｃ３〜Ｃ１２アリール基を含むことを意図する。用語「アリール」は、炭素環式及び複素環式のアリール基の両方を指す。
【００１７】
本明細書で使用するとき、用語「アルカリル」は、任意のアルキル置換アリール置換基及びアリール置換アルキル置換基を指す。より具体的には、この用語は、追加の置換基を含んでいても含んでいなくてもよいＣ７〜１６アルキル置換アリール置換基及びＣ７〜１６アリール置換アルキル置換基を指すことを意図する。
【００１８】
本明細書で使用するとき、用語「洗剤組成物」は、洗濯ケア組成物の一部であり、布地を洗濯するための製品を含むがこれに限定されない洗浄組成物を含む。このような組成物は、洗浄工程の前に用いるための前処理組成物であってもよく、すすぎ時添加用組成物、並びに、漂白添加剤及び「シミ取りスティック」又は前処理タイプのような洗浄助剤であってもよい。
【００１９】
本明細書で使用するとき、用語「洗濯ケア組成物」は、特に指定しない限り、顆粒状、粉末状、液状、ゲル状、ペースト状、単位用量型、棒状、及び／又はフレーク状の洗浄剤及び／又は布地処理組成物を含み、例えば、布地を洗濯するための製品、布地柔軟化組成物、布地強化組成物、布地フレッシュニング組成物、並びに布地をケア及びメンテナンスするためのその他の製品、並びにこれらの組み合わせが挙げられるが、これらに限定されない。このような組成物は、洗浄工程の前に用いるための前処理組成物であってもよく、すすぎ時添加用組成物、並びに漂白添加剤及び／又は「シミ取りスティック」、又は前処理組成物、又は乾燥機添加用シートなどの基材を有する製品などの洗浄助剤であってもよい。
【００２０】
本明細書で使用するとき、用語「ロイコ」（例えば、化合物、部分、ラジカル、染料、モノマー、断片、又はポリマーに関して使用するとき）は、特定の化学的又は物理的な発色誘発因子に曝露された際、１つ以上の化学的及び／又は物理的な変化を生じ、その結果、第１の色状態（例えば、無着色又は実質的に無色）から第２のより高度に有色の状態へと変化する実体（例えば、有機化合物又はその一部）を指す。好適な化学的又は物理的な発色誘発因子としては、酸化、ｐＨ変化、温度変化、及び電磁放射線（例えば、光）曝露における変化が挙げられるが、これらに限定されない。ロイコ実体において生じる好適な化学的又は物理的な変化としては、分子内環化などの酸化及び非酸化的変化が挙げられるが、これらに限定されない。したがって、一態様では、好適なロイコ実体は、発色団の可逆的に還元された形態であり得る。一態様では、ロイコ部分は、好ましくは、上記の化学的及び／又は物理的な発色誘発因子のうちの１つ以上に曝露された際、第１及び第２のπ系を組み込んだ第３の複合π共役系に変換され得る、少なくとも第１及び第２のπ系を含む。
【００２１】
本明細書で使用するとき、用語「ロイコ組成物」又は「ロイコ着色剤組成物」は、本明細書で更に詳細に記載されるように、独立して選択される構造を有する少なくとも２種のロイコ化合物を含む組成物を指す。
【００２２】
本明細書で使用するとき、ロイコ着色剤の「平均分子量」は、その分子量分布によって決定したときの重量平均分子量として報告され、その製造プロセスの結果として、本明細書に開示されるロイコ着色剤は、そのポリマー部分に繰り返し単位の分布を含み得る。
【００２３】
本明細書で使用するとき、用語「最大吸光係数」及び「最大モル吸光係数」は、４００ナノメートル〜７５０ナノメートルの範囲における最大吸光波長（本明細書では最大波長とも称する）におけるモル吸光係数を表すことを意図する。
【００２４】
本明細書で使用するとき、用語「第１の色」は、発色誘発前の洗濯ケア組成物の色を指すために使用され、無色及び実質的に無色を含む任意の色を含むことを意図する。
【００２５】
本明細書で使用するとき、用語「第２の色」は、発色誘発後の洗濯ケア組成物の色を指すために使用され、目視検査又は分光測光分析などの分析技術の使用のいずれかによって洗濯ケア組成物の第１の色と区別可能な任意の色を含むことを意図する。
【００２６】
本明細書で使用するとき、用語「変換剤」は、その既知の形態（一重項及び三重項の状態）のいずれかにある、分子状酸素以外の当該技術分野において既知の任意の酸化剤を指す。
【００２７】
本明細書で使用するとき、用語「発色誘発剤」は、ロイコ組成物を無色又は実質的に無色の状態から有色の状態に変換するのに好適な反応物質を指す。
【００２８】
本明細書で使用するとき、用語「ホワイトニング剤」は、白色の綿布における場合、２１０〜３４５の相対色相角、又は更には２４０〜３２０の相対色相角、又は更には２５０〜３００（例えば、２５０〜２９０）の相対色相角を有する色相を当該布に提供する、発色誘発後に染料を形成することができる染料又はロイコ着色剤を指す。
【００２９】
本明細書で使用するとき、「セルロース基材」は、重量基準で少なくとも大部分がセルロースで構成されたあらゆる基材を含むことが意図される。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。セルロース繊維から形成される物品としては、布地などの織物製品が挙げられる。パルプから形成される物品としては、紙が挙げられる。
【００３０】
本明細書で使用するとき、特許請求の範囲において使用される「ａ」及び「ａｎ」などの冠詞は、特許請求又は記述されるものが１つ以上であることを意味すると理解される。
【００３１】
本明細書で使用するとき、用語「含む（「ｉｎｃｌｕｄｅ／ｓ」及び「ｉｎｃｌｕｄｉｎｇ」）」は非限定的であることを意味する。
【００３２】
本明細書において使用するとき、用語「固体」は、顆粒、粉末、バー及び錠剤の製品形態を含む。
【００３３】
本発明で使用する場合、用語「流体」は、液体、ゲル、ペースト及び気体の製品形態を含む。
【００３４】
本出願人らの発明のパラメータのそれぞれの値を求めるには、本出願の試験方法の項で開示される試験方法を用いるべきである。
【００３５】
別途記載のない限り、すべての成分又は組成物の濃度は、当該成分又は組成物の活性部分に関するものであり、かかる成分又は組成物の市販の供給源に存在し得る不純物、例えば残留溶媒又は副生成物は除外される。
【００３６】
すべての百分率及び比率は、別途記載のない限り、重量基準で計算される。すべての百分率及び比率は、別途記載のない限り、全組成に基づいて計算される。
【００３７】
一態様では、２００〜１，０００ｎｍ（より好ましくは４００〜７５０ｎｍ）の範囲の波長における最大吸光度における当該第２の有色状態のモル吸光係数は、第２の有色状態の最大吸光度の波長における当該第１の色状態のモル吸光係数の好ましくは少なくとも５倍、より好ましくは１０倍、更により好ましくは２５倍、最も好ましくは少なくとも５０倍である。好ましくは、２００〜１，０００ｎｍ（より好ましくは４００〜７５０ｎｍ）の範囲の波長における最大吸光度における当該第２の有色状態のモル吸光係数は、対応する波長範囲における当該第１の色状態の最大モル吸光係数の少なくとも５倍、好ましくは１０倍、更により好ましくは２５倍、最も好ましくは少なくとも５０倍である。当業者であれば、これらの比が大幅に高くなり得ることを理解するであろう。例えば、第１の色状態は、４００〜７５０ｎｍの波長範囲において１０Ｍ−１ｃｍ−１の小さな最大モル吸光係数を有していてよく、第２の有色状態は、４００〜７５０ｎｍの波長範囲において８０，０００Ｍ−１ｃｍ−１以上の大きな最大モル吸光係数を有していてよく、この場合、吸光係数の比は８，０００：１以上になる。
【００３８】
一態様では、４００〜７５０ｎｍの範囲の波長における当該第１の色状態の最大モル吸光係数は１０００Ｍ−１ｃｍ−１未満であり、４００〜７５０ｎｍの範囲の波長における当該第２の有色状態の最大モル吸光係数は、５，０００Ｍ−１ｃｍ−１よりも大きく、好ましくは１０，０００、２５，０００、５０，０００又は更には１００，０００Ｍ−１ｃｍ−１よりも大きい。当業者であれば、複数のロイコ部分を含むポリマーが、第１の色状態において顕著に高い最大モル吸光係数を有し得る（例えば、複数のロイコ部分の相加効果又は第２の有色状態に変換された１つ以上のロイコ部分の存在に起因する）ことを認識し、理解するであろう。
【００３９】
本明細書で使用するとき、用語「一級アミン」及び「一級アミン化合物」は、一級アミン（−ＮＨ２）部分を含む液体洗濯ケア配合物中の化合物を指すために使用される。好ましい一級アミン化合物は、１，０００ｇ／モル未満、好ましくは５００ｇ／モル未満、より好ましくは３５０ｇ／モル未満、又は更には２００ｇ／モル未満、最も好ましくは１００ｇ／モル未満、又は更には８０ｇ／モル未満の分子量を有するものである。本発明の目的では、ロイコ着色剤及びロイコ着色剤から得られる酸化染料は、アミン部分を含有する場合であってもアミン化合物とはみなされない。
【００４０】
本明細書で使用するとき、用語「二級アミン」及び「三級アミン」は、それぞれ、以下に示すように、二級アミン又は三級アミン部分を含む液体洗濯ケア配合物中の化合物を指す。
【００４１】
【化１】
2020535294.tif 000002
【００４２】
好ましい二級及び三級アミン化合物は、１，０００ｇ／モル未満、好ましくは５００ｇ／モル未満、より好ましくは３５０ｇ／モル未満、最も好ましくは２００ｇ／モル未満の分子量を有するものである。本発明の目的では、ロイコ着色剤及びロイコ着色剤から得られる酸化染料は、アミン部分を含有する場合であってもアミン化合物とはみなされない。
【００４３】
一態様では、組成物は、所望により、組成物中に約０．００１〜約２重量％存在する酸化防止剤を含有していてよい。好ましくは、酸化防止剤は、０．０１〜０．５０重量％の範囲の濃度で存在する。酸化防止剤の混合物を使用してもよい。
【００４４】
酸化防止剤は、Ｋｉｒｋ−Ｏｔｈｍｅｒ（第３巻、４２４ページ）及びＵｌｌｍａｎｎのＥｎｃｙｃｌｏｐｅｄｉａ（第３巻、９１ページ）に記載されているような物質である。
【００４５】
本発明で使用される酸化防止剤の一分類は、以下の一般式を有するアルキル化フェノールである：
【００４６】
【化２】
2020535294.tif 000003
（式中、Ｒは、Ｃ１〜Ｃ２２直鎖又は分岐鎖アルキル、好ましくはメチル又は分岐鎖Ｃ３〜Ｃ６アルキル、Ｃ１〜Ｃ６アルコキシ、好ましくはメトキシであり、Ｒ１は、Ｃ３〜Ｃ６分枝鎖アルキル、好ましくはｔｅｒｔ−ブチルであり、ｘは、１又は２である）。いくつかのヒンダードフェノール化合物が、この式を有するアルキル化フェノールの好ましい種類である。この種の好ましいヒンダードフェノール化合物は、３，５−ジ−ｔｅｒｔ−ブチル−４−ヒドロキシトルエン（ＢＨＴ）である。
【００４７】
本明細書で使用するとき、用語「ヒンダードフェノール」は、（ａ）少なくとも１つのフェノール性ＯＨ基に対してオルト位に結合している少なくとも１つのＣ３以上の分枝状アルキル、好ましくはＣ３〜Ｃ６分枝状アルキル、好ましくはｔｅｒｔ−ブチル、あるいは（ｂ）少なくとも１つのフェノール性ＯＨ基に対してそれぞれオルト位に、Ｃ１〜Ｃ６アルコキシ、好ましくはメトキシ、Ｃ１〜Ｃ２２直鎖状若しくは分枝状アルキル、好ましくはメチル若しくは分枝状Ｃ３〜Ｃ６アルキル、又はこれらの混合物からなる群から独立して選択される置換基のいずれかを有するフェノール基を含む化合物を指すために使用される。フェニル環が複数の−ＯＨ基を含む場合、化合物は、少なくとも１つのこのような−ＯＨ基が直上に記載されているように置換されている限りヒンダードフェノールである。
【００４８】
更に、当該組成物で使用される酸化防止剤は、α−、β−、γ−、δ−−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びその塩、並びにこれらの混合物からなる群から選択され得る。エトキシキン（１，２−ジヒドロ−６−エトキシ−２，２，４−トリメチルキノリン）は、Ｒａｓｃｈｉｇ社（商標）によりＲａｌｕｑｕｉｎ（商標）という名称で販売されていることに留意されたい。
【００４９】
当該組成物に使用され得る他の種類の酸化防止剤は、６−ヒドロキシ−２，５，７，８−テトラメチルクロマン−２−カルボン酸（Ｔｒｏｌｏｘ（商標））及び１，２−ベンズイソチアゾリン−３−オン（Ｐｒｏｘｅｌ  ＧＸＬ（商標））である。
【００５０】
当該組成物に使用するのに好適であり得る酸化防止剤の更なる分類は、以下の式を有するベンゾフラン又はベンゾピラン誘導体である：
【００５１】
【化３】
2020535294.tif 000004
（式中、Ｒ１及びＲ２は、それぞれ独立してアルキルであるか、又はＲ１とＲ２とは共にＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである）。好ましい窒素含有Ａ単位としては、アミノ、ピロリジノ、ピペリジノ、モルホリノ、ピペラジノ、及びこれらの混合物が挙げられる。
【００５２】
トコフェロールソルベート、ブチル化ヒドロキシル安息香酸及びその塩、没食子酸及びそのアルキルエステル、尿酸及びその塩、ソルビン酸及びその塩、並びにジヒドロキシフマル酸及びその塩などの酸化防止剤を使用してもよい。一態様では、組成物中に使用するのに最も好ましい種類の酸化防止剤は、３，５−ジ−ｔｅｒｔ−ブチル−４−ヒドロキシトルエン（ＢＨＴ）、α−、β−、γ−、δ−トコフェロール、１，２−ベンズイソチアゾリン−３−オン（Ｐｒｏｘｅｌ  ＧＸＬ（商標））、及びこれらの混合物である。
【００５３】
一態様では、一級アミンの酸化防止剤に対するモル比は、５，０００：１．０未満、好ましくは２，５００：１．０未満、より好ましくは１，０００：１．０未満である。驚くべきことに、一級アミンの存在によって引き起こされる変換の加速を抑制するために必要な酸化防止剤はわずかである。
【００５４】
本発明は、織物基材を白色化するための色相を与えるために液体洗濯洗剤などの洗濯ケア組成物中に使用するのに有用であり得るロイコ着色剤の分類に関する。ロイコ着色剤は、本質的に無色であるか、又はほんのわずかに有色であるが、活性化時に強く発色することができる化合物である。洗濯ケア組成物においてロイコ化合物を使用する１つの利点は、このような化合物は活性化されるまで無色であるので、洗濯ケア組成物がそれ自体の色を呈することができる点である。ロイコ着色剤は、一般に、洗濯ケア組成物の原色を変化させない。したがって、このような組成物の製造業者は、青味剤などの添加成分が組成物の最終色値に影響を及ぼすことに関して懸念することなく、消費者にとって最も魅力的な色を配合することができる。
【００５５】
本発明の洗濯ケア組成物に使用されるロイコ着色剤の量は、本発明の目的を達成するのに好適な任意の濃度であってよい。一態様では、洗濯ケア組成物は、約０．０００１重量％〜約１．０重量％、好ましくは０．０００５重量％〜約０．５重量％、更により好ましくは約０．０００８重量％〜約０．２重量％、最も好ましくは０．００４重量％〜約０．１重量％の量のロイコ着色剤を含む。
【００５６】
別の態様では、洗濯ケア組成物は、０．００２５〜５．０ミリ当量／ｋｇ、好ましくは０．００５〜２．５ミリ当量／ｋｇ、更により好ましくは０．０１〜１．０ミリ当量／ｋｇ、最も好ましくは０．０５〜０．５０ミリ当量／ｋｇの量のロイコ着色剤を含み、ミリ当量／ｋｇの単位は、洗濯組成物１ｋｇ当たりのロイコ部分のミリ当量を指す。複数のロイコ部分を含むロイコ着色剤では、ミリ当量数は、以下の等式によるロイコ着色剤のミリモル数に関連する：（ロイコ着色剤のミリモル）×（ロイコ部分のミリ当量数／ロイコ着色剤のミリモル）＝ロイコ部分のミリ当量。ロイコ着色剤当たり単一のロイコ部分しか存在しない場合、ミリ当量／ｋｇの数は、洗濯ケア組成物の１ｋｇ当たりのロイコ着色剤のミリモルの数に等しい。
【００５７】
一態様では、本発明は、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択されるロイコ組成物に関する。
【００５８】
本明細書で使用するのに好適なジアリールメタンロイコ化合物としては、本明細書に記載される第２の有色状態を形成することができるジアリールメチレン誘導体が挙げられるが、これらに限定されない。好適な例としては、ミヒラーメタン、−ＯＨ基で置換されたジアリールメチレン（例えば、ミヒラーヒドロール）並びにそのエーテル及びエステル、−ＣＮ基などの光切断性部分で置換されたジアリールメチレン（ビス（パラ−Ｎ，Ｎ−ジメチル）フェニル）アセトニトリル）、並びに同様のこのような化合物が挙げられるが、これらに限定されない。
【００５９】
一態様では、本発明は、
【００６０】
【化４】
2020535294.tif 000005
（ｆ）これらの混合物
から選択される群に一致する１つ以上のロイコ化合物を含み、
式Ｉ〜Ｖのその酸化形態に対する比は、少なくとも１：１９、１：９、又は１：３、好ましくは少なくとも１：１、より好ましくは少なくとも３：１、最も好ましくは少なくとも９：１又は更には１９：１である、組成物に関する。
【００６１】
式（Ｉ）の構造では、各環Ａ、Ｂ及びＣの各個々のＲｏ、Ｒｍ、及びＲｐ基は、独立して水素、重水素、及びＲ５からなる群から選択され、各Ｒ５は、独立して、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、異なるＡ、Ｂ及びＣ環の２個のＲｏ基同士が結合して、５員以上の縮合環を形成してもよく、縮合環が６員以上であるとき、異なるＡ、Ｂ及びＣ環の２個のＲｏ基同士が結合して、所望により１つ以上のヘテロ原子を含有する有機リンカーを形成してもよく、一実施形態では、異なるＡ、Ｂ及びＣ環の２個のＲｏ基同士が結合して、−Ｏ−及び−Ｓ−から選択されるヘテロ原子架橋を形成して、６員縮合環を形成し、同じ環のＲｏとＲｍ又は同じ環のＲｍとＲｐとが結合して、縮合脂肪族環又は縮合芳香族環を形成してもよく、これら環のいずれもヘテロ原子を含有してもよく、３つの環Ａ、Ｂ又はＣの少なくとも１つにおいて、Ｒｏ及びＲｍ基の好ましくは少なくとも２つ、より好ましくは少なくとも３つ、最も好ましくは４つすべてが水素であり、好ましくは、環Ａ、Ｂ及びＣの少なくとも２つにおけるＲｏ及びＲｍ基の４つすべてが水素であり、いくつかの実施形態では、環Ａ、Ｂ及びＣのすべてのＲｏ及びＲｍ基が水素であり、好ましくは、各Ｒｐは、独立して、水素、−ＯＲ１及び−ＮＲ１Ｒ２から選択され、Ｒｐの２つ以下、好ましくは１つ以下が水素であり、好ましくはいずれも水素ではなく、より好ましくは、少なくとも１つ、好ましくは２つ、最も好ましくは３つすべてのＲｐが−ＮＲ１Ｒ２であり、いくつかの実施形態では、環Ａ、Ｂ及びＣの１つ又は更には２つは、所望により１つ以上の独立して選択されるＲ５基で置換されている、独立してＯ、Ｓ及びＮから選択される１つ又は２つのヘテロ原子を含む、独立して選択されるＣ３〜Ｃ９ヘテロアリール環で置換されてもよく、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、又はホスフィンオキシドからなる群から選択され、一態様では、Ｇの［（重水素）／（重水素＋水素）］の比率は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のいずれか２つが結合して、所望により−Ｏ−、−ＮＲ１５−、及び−Ｓ−からなる群から選択される１つ以上の追加のヘテロ原子を含む５員以上の環を形成してもよい。
【００６２】
式（ＩＩ）〜（ＩＩＩ）の構造中、ｅ及びｆは、独立して、０〜４の整数であり、各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、各Ｒ２５は、独立して、単糖部分、二糖部分、オリゴ糖部分、及び多糖部分、−Ｃ（Ｏ）Ｒ１、−Ｃ（Ｏ）ＯＲ１、−Ｃ（Ｏ）ＮＲ１Ｒ２からなる群から選択され、各Ｒ２２及びＲ２３は、独立して、水素、アルキル基、及び置換アルキル基からなる群から選択される。
【００６３】
式（ＩＶ）の構造中、Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、アルキル基、置換アルキル基、アリール基、置換アリール基、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から独立して選択され、添え字ｎは、０〜４、好ましくは０〜１、最も好ましくは０の整数であり、−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリル、置換アルカリル、及びＲ４からなる群から選択され、Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基同士が結合して、５員以上の縮合環を形成してもよく、縮合環中の原子の２つ以下が窒素原子であってもよい。
【００６４】
式（Ｖ）の構造中、Ｘ４０は、酸素原子、硫黄原子、及びＮＲ４５からなる群から選択され、Ｒ４５は、独立して、水素、重水素、アルキル、置換アルキル、アリール、置換アリール、アルカリル、置換アルカリル、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、Ｒ４０及びＲ４１は、独立して、−（ＣＨ２）ｎ−Ｏ−Ｒ１、−（ＣＨ２）ｎ−ＮＲ１Ｒ２からなる群から選択され、添え字ｎは、０〜４、好ましくは０〜１、最も好ましくは０の整数であり、ｊ及びｋは、独立して、０〜３の整数であり、Ｒ４２及びＲ４３は、独立して、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２からなる群から選択され、添え字ｎは、０〜４、好ましくは０〜１、最も好ましくは０の整数であり、Ｒ４４は、−Ｃ（Ｏ）Ｒ１、−Ｃ（Ｏ）ＮＲ１Ｒ２、及び−Ｃ（Ｏ）ＯＲ１である。
【００６５】
式（Ｉ）〜（Ｖ）の構造中、前述の基のいずれかに存在する任意の電荷は、好適な独立して選択される内部又は外部の対イオンと平衡化される。好適な独立して選択される外部対イオンは、カチオン性又はアニオン性であってよい。好適なカチオンの例としては、好ましくは第Ｉ族及び第ＩＩ族から選択される１種以上の金属が挙げられるが、これらに限定されず、これらのうち最も好ましいものは、Ｎａ、Ｋ、Ｍｇ、及びＣａ、又はイミニウム、アンモニウム、及びホスホニウムなどの有機カチオンである。好適なアニオンの例としては、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレン−ビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホネートが挙げられるが、これらに限定されない。当業者は、上に列挙したものの代わりに使用することができる異なる対イオンを十分に認識している。
【００６６】
式（Ｉ）〜（Ｖ）の構造中、Ｒ１、Ｒ２、Ｒ３、及びＲ１５は、独立して、水素、アルキル、置換アルキル、アリール、置換アリール、アルカリル、置換アルカリル、及びＲ４からなる群から選択され、式中、Ｒ４は、２８〜５００、好ましくは４３〜３５０、更により好ましくは４３〜２５０の範囲の当該モノマー分子量を有する１つ以上の有機モノマーから構成される有機基であり、この有機基は、式Ｉ〜Ｖの構造に一致する１つ以上の追加のロイコ着色剤部分で置換され得る。一態様では、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される。一態様では、Ｒ４は、ＥＯ、ＰＯ、ＢＯ、及びこれらの混合物から選択され、より好ましくは、ＥＯのみ又はＥＯ／ＰＯ混合物から選択される。任意のロイコ着色剤が３個以上の連続するモノマーを有するＲ４基を含む場合、そのロイコ着色剤は、本明細書において「高分子ロイコ着色剤」として定義される。当業者は、溶解度、分配、付着、除去、染色などの多くの特徴的属性のいずれかに関する化合物の特性が、化合物の中に組み込まれるこのような連続するモノマーの配置、アイデンティティー、及び数に関連することを承知している。したがって、当業者は、このような連続するモノマーの配置、アイデンティティー、及び数を調整して、程度の差はあれ予測可能な形で任意の特定の属性を変化させることができる。
【００６７】
好ましいロイコ着色剤としては、式ＶＩの構造に一致するものが挙げられる、
【００６８】
【化５】
2020535294.tif 000006
（式中、各Ｒ４は、独立して、Ｈ、メチル、エチル、（（ＣＨ２ＣＨ２Ｏ）ａ（Ｃ３Ｈ６Ｏ）ｂ）Ｈ、及びこれらの混合物からなる群から選択され、好ましくは、少なくとも１つのＲ４基は、（（ＣＨ２ＣＨ２Ｏ）ａ（Ｃ３Ｈ６Ｏ）ｂ）Ｈであり、各添え字ａは、独立して、１〜１００の整数であり、各添え字ｂは、独立して、０〜５０の整数であり、すべてのＲ４基におけるすべての独立して選択される整数ａの合計は、２００以下、好ましくは１００以下であり、すべてのＲ４基におけるすべての独立して選択される整数ｂの合計は、１００以下、好ましくは５０以下である）。好ましくは、少なくとも２つのＲ４基は、メチル及びエチルから選択され、最も好ましくは、構造ＶＩにおける少なくとも１つのＮが、メチル及びエチルから選択される２つのＲ４基、好ましくはメチルで置換される。非付着性ロイコ着色剤が望ましい場合、すべてのＲ４基におけるすべての独立して選択される整数ａの合計は、２０以上、好ましくは３０、４０以上、又は更には５０以上であり、すべてのＲ４基におけるすべての独立して選択される整数ｂの合計は、２０以下、又は更には１０以下である。一態様では、非付着性ロイコ着色剤は、すべてのＲ４基におけるすべての独立して選択される整数ｂの合計が０であってもよい。
【００６９】
非常に好ましいロイコ着色剤としては、式ＶＩＩの構造に一致するものが挙げられる、
【００７０】
【化６】
2020535294.tif 000007
（式中、各添え字ｃは、独立して、０、１、又は２であり、好ましくは各ｃは１であり、各Ｒ４は、独立して、Ｈ、メチル、エチル、（（ＣＨ２ＣＨ２Ｏ）ａ（Ｃ３Ｈ６Ｏ）ｂ）Ｈ、及びこれらの混合物からなる群から選択され、好ましくは、各Ｒ４は、（（ＣＨ２ＣＨ２Ｏ）ａ（Ｃ３Ｈ６Ｏ）ｂ）Ｈであり、各添え字ａは、独立して、１〜５０、より好ましくは１〜２５、更により好ましくは１〜２０、１〜１５、１〜１０、１〜５、又は更には１〜２であり、各添え字ｂは、独立して、０〜２５、より好ましくは０〜１５、更により好ましくは１〜５、又は更には１〜３の整数であり、ロイコ着色剤中のすべての独立して選択される整数ａの合計は、１００以下、より好ましくは８０以下、最も好ましくは６０、４０、２０、１０以下、又は更には５以下であり、ロイコ着色剤中のすべての独立して選択される整数ｂの合計は、５０以下、より好ましくは４０以下、最も好ましくは３０、２０、又は更には１０以下である）。
【００７１】
一態様では、本発明のロイコ着色剤は、４５ｍＮ／ｍ超、より好ましくは４７．５ｍＮ／ｍ超、最も好ましくは５０ｍＮ／ｍ超の表面張力値を有する。別の態様では、ロイコ着色剤の第２の有色状態は、４５ｍＮ／ｍ超、より好ましくは４７．５ｍＮ／ｍ超、最も好ましくは５０ｍＮ／ｍ超の表面張力値を有する。本発明の更に別の態様では、ロイコ着色剤及びその対応する第２の有色状態は、いずれも、４５ｍＮ／ｍ超、より好ましくは４７．５ｍＮ／ｍ超、最も好ましくは５０ｍＮ／ｍ超の表面張力値を有する。
【００７２】
上記のロイコ化合物は、家庭用洗濯プロセスなどの織物材料の処理に使用するのに好適であると考えられる。具体的には、ロイコ化合物は、ロイコ化合物の性質に起因して、織物材料の繊維上に付着すると考えられる。更に、織物材料上に付着した後、ロイコ化合物をその有色形態に変換する適切な化学的又は物理的な発色誘発因子を適用することによって、ロイコ化合物を有色化合物に変換することができる。例えば、ロイコ化合物が酸化化合物に酸化された際、ロイコ化合物はその有色形態に変換され得る。適切なロイコ部分を選択することによって、ロイコ化合物がその有色形態に変換されたときに所望の色相を織物材料に付与するようにロイコ化合物を設計することができる。例えば、その有色形態に変換された際に青色の色相を呈するロイコ化合物を使用して、時間の経過及び／又は洗濯の繰り返しによって通常生じる織物材料の黄変を相殺することができる。したがって、他の実施形態では、本発明は、上記のロイコ化合物を含む洗濯ケア組成物及び家庭で織物材料を処理する方法（例えば、洗濯又は衣類の物品を洗浄する方法）を提供する。
【００７３】
好ましくは、ロイコ化合物は、２１０〜３４５の相対色相角、又は更には２４０〜３２０の相対色相角、又は更には２５０〜３００（例えば、２５０〜２９０）の相対色相角で布に色相を与える。相対色相角は、当該技術分野において既知の任意の好適な方法によって求めることができる。しかしながら、好ましくは、相対色相角は、ロイコ実体が全く存在しない綿布と比べて、ロイコ実体の綿布への付着に関して本明細書で更に詳細に記載されるように決定することができる。
【００７４】
好ましい一実施形態では、洗濯ケア組成物の色相角とロイコ着色剤によってもたらされる相対色相角とは異なる。好ましくは、洗濯ケア組成物の色相角とロイコ着色剤によってもたらされる相対色相角とは、いずれも本明細書で更に詳細に記載されており、互いと少なくとも５、１０、１５、２０、２５、３０、４０、５０、６０、７０、８０、９０、１０５、１２０、１４０、及び１６０異なる。
【００７５】
洗濯ケア成分
界面活性剤系
本発明の製品は、約０．００重量％〜、より典型的には約０．１０〜８０重量％の界面活性剤を含んでもよい。一態様において、かかる組成物は、約５重量％〜５０重量％の界面活性剤を含んでもよい。使用される界面活性剤は、アニオン性、非イオン性、両向性（amphoteric）、両性（ampholytic）、双性イオン性、若しくはカチオン性の種類のものであってもよく、又はこれらの種類の界面活性剤の相溶性混合物を含んでもよい。布地ケア製品が洗濯洗剤である場合、アニオン性及び非イオン性界面活性剤が通常用いられる。一方、布地ケア製品が布地柔軟剤である場合、カチオン性界面活性剤が通常用いられる。
【００７６】
アニオン性界面活性剤
有用なアニオン性界面活性剤は、それら自体がいくつかの異なるタイプのものであってよい。例えば、高級脂肪酸類の水溶性塩、すなわち「石鹸」は、本明細書の組成物において有用なアニオン性界面活性剤である。これは、約８〜約２４個の炭素原子、又は更には約１２〜約１８個の炭素原子を含有する高級脂肪酸のナトリウム、カリウム、アンモニウム、及びアルキロールアンモニウム塩などのアルカリ金属石鹸を含む。石鹸は、油脂の直接鹸化によって、又は遊離脂肪酸の中和によって作製することができる。特に有用なものは、ココヤシ油及び獣脂から誘導される脂肪酸の混合物のナトリウム塩及びカリウム塩、すなわち、ナトリウム又はカリウムタロー及びココヤシ石鹸である。
【００７７】
好ましいアルキルは、Ｃ８〜１８のアルキルアルコキシル化サルフェート、好ましくはＣ１２〜１５のアルキル又はヒドロキシアルキルアルコキシル化サルフェートである。好ましくはアルコキシル化基はエトキシル化基である。典型的には、アルキルアルコキシル化サルフェートの平均アルコキシル化度は０．５〜３０若しくは２０、又は０．５〜１０である。アルキル基は、分岐状又は直鎖状であり得る。アルコキシル化アルキルサルフェート界面活性剤はアルコキシル化アルキルサルフェートの混合物であってもよく、この混合物は、約１２〜約３０個の炭素原子の範囲内の平均（算術平均）炭素鎖長、又は約１２〜約１５個の炭素原子の平均炭素鎖長と、約１モル〜約４モルのエチレンオキシド、プロピレンオキシド、若しくはこれらの混合物の平均（算術平均）アルコキシル化度、又は約１．８モルのエチレンオキシド、プロピレンオキシド、若しくはこれらの混合物の平均（算術平均）アルコキシル化度と、を有する。このアルコキシル化アルキルサルフェート界面活性剤は、約１０個の炭素原子〜約１８個の炭素原子の炭素鎖長と、約０．１〜約６モルのエチレンオキシド、プロピレンオキシド、又はこれらの混合物のアルコキシル化度と、を有し得る。アルコキシル化アルキルサルフェートは、エチレンオキシド、プロピレンオキシド、又はこれらの混合物でアルコキシル化されてもよい。アルキルエーテルサルフェート界面活性剤は、ピークのあるエトキシレート分布を含んでもよい。具体例としては、ＳｈｅｌｌからのＮＥＯＤＯＬ（登録商標）アルコールから誘導されたＣ１２〜Ｃ１５のＥＯ２．５サルフェート、Ｃ１４〜Ｃ１５のＥＯ２．５サルフェート、及びＣ１２〜Ｃ１５のＥＯ１．５サルフェート、並びにＨｕｎｔｓｍａｎからの天然アルコールから誘導されたＣ１２〜Ｃ１４のＥＯ３サルフェート、Ｃ１２〜Ｃ１６のＥＯ３サルフェート、Ｃ１２〜Ｃ１４のＥＯ２サルフェート、及びＣ１２〜Ｃ１４のＥＯ１サルフェートが挙げられる。ＡＥＳは直鎖状、分岐状、又はこれらの組み合わせであってよい。アルキル基は、Ｓｈｅｌｌによる商品名Ｎｅｏｄｏｌ（登録商標）、Ｓａｓｏｌによる商品名Ｓａｆｏｌ（登録商標）、Ｌｉａｌ（登録商標）、及びＩｓａｌｃｈｅｍ（登録商標）によって供給されるものなどの合成若しくは天然アルコール、又はココナッツ及びパーム核などの植物油から誘導されるミッドカットアルコールから誘導することができる。別の好適なアニオン性洗浄界面活性剤は、Ｃ１０〜Ｃ２６の直鎖又は分岐鎖、好ましくはＣ１０〜Ｃ２０の直鎖、最も好ましくはＣ１６〜Ｃ１８の直鎖アルキルアルコールと、２〜２０、好ましくは７〜１３、より好ましくは８〜１２、最も好ましくは９．５〜１０．５のエトキシレートと、を含むアルキルエーテルカルボキシレートである。酸形態又はナトリウム若しくはアンモニウム塩などの塩形態を使用してよく、アルキル鎖は、１つのシス又はトランス二重結合を含有していてもよい。アルキルエーテルカルボン酸は、花王（Ａｋｙｐｏ（登録商標））、Ｈｕｎｔｓｍａｎ（Ｅｍｐｉｃｏｌ（登録商標））及びＣｌａｒｉａｎｔ（Ｅｍｕｌｓｏｇｅｎ（登録商標））から入手可能である。
【００７８】
他の有用なアニオン性界面活性剤は、アルキル基が直鎖（線状）又は分枝鎖の構造の約９個〜約１５個の炭素原子を含有する、アルキルベンゼンスルホネートのアルカリ金属塩を含み得る。いくつかの例では、アルキル基は、直鎖である。こうした直鎖アルキルベンゼンスルホネートは、「ＬＡＳ」として既知である。他の例では、直鎖アルキルベンゼンスルホネートは、アルキル基中に約１１個〜１４個の平均炭素原子数を有していてよい。具体的な例では、直線状直鎖アルキルベンゼンスルホン酸塩は、アルキル基中、約１１．８個の炭素原子の平均炭素原子数を有し得、Ｃ１１．８ＬＡＳと略称され得る。好ましいスルホン酸塩は、Ｃ１０〜１３のアルキルベンゼンスルホン酸塩である。好適なアルキルベンゼンスルホネート（ＬＡＳ）は、市販の直鎖アルキルベンゼン（ＬＡＢ）をスルホン化することによって得ることができる。好適なＬＡＢとしては、商標名Ｉｓｏｃｈｅｍ（登録商標）としてＳａｓｏｌによって供給されているもの又は商標名Ｐｅｔｒｅｌａｂ（登録商標）としてＰｅｔｒｅｓａによって供給されているものなどの低２−フェニルＬＡＢが挙げられ、他の好適なＬＡＢとしては、商標名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩を用いる。本明細書に用いるのに好適なアニオン性スルホネート塩界面活性剤としては、Ｃ８〜Ｃ１８のアルキル又はヒドロキシアルキルスルホネートの水溶性塩、Ｃ１１〜Ｃ１８アルキルベンゼンスルホネート（ＬＡＳ）、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号に記載される変性アルキルベンゼンスルホネート（ＭＬＡＳ）、メチルエステルスルホネート（ＭＥＳ）；及びα−オレフィンスルホネート（ＡＯＳ）が挙げられる。これらはまた、炭素原子１０〜２０個のパラフィンをスルホネート化することによって得られる、モノスルホネート及び／又はジスルホネートであり得るパラフィンスルホネートを含む。スルホネート界面活性剤としては、アルキルグリセリルスルホネート界面活性剤も挙げられ得る。
【００７９】
本発明のアニオン性界面活性剤は酸型で存在してもよく、当該酸型を中和して、本発明の洗剤組成物で使用するのに望ましい界面活性剤塩を形成することができる。典型的な中和剤としては、水酸化物、例えば、ＮａＯＨ又はＫＯＨなどの金属対イオン塩基が挙げられる。これら酸型における、本発明の中和性アニオン性界面活性剤及び補助アニオン性界面活性剤又は共界面活性剤向けの更に好ましい剤としては、アンモニア、アミン、又はアルカノールアミンが挙げられる。アルカノールアミンが好ましい。好適な非限定的な例としては、モノエタノールアミン、ジエタノールアミン、トリエタノールアミン、及び当該技術分野で既知の他の直鎖状若しくは分岐鎖状アルカノールアミンが挙げられ、例えば、かなり好ましいアルカノールアミンとしては、２−アミノ−１−プロパノール、１−アミノプロパノール、モノイソプロパノールアミン、又は１−アミノ−３−プロパノールが挙げられる。
【００８０】
非イオン性界面活性剤
好ましくは、本発明の組成物は非イオン性洗浄性界面活性剤を含む。好適な非イオン性界面活性剤としては、アルコキシル化脂肪族アルコールが挙げられる。非イオン性界面活性剤は、式Ｒ（ＯＣ２Ｈ４）ｎＯＨ（式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である）のエトキシル化アルコール及びエトキシル化アルキルフェノールから選択され得る。本明細書で有用な非イオン性界面活性剤の他の非限定例としては、ＳｈｅｌｌからのＮＥＯＤＯＬ（登録商標）非イオン性界面活性剤などのＣ８〜Ｃ１８アルキルエトキシレート、アルコキシレート単位がエチレンオキシ単位、プロピレンオキシ単位、又はこれらの混合物であり得るＣ６〜Ｃ１２アルキルフェノールアルコキシレート、ＢＡＳＦからのＰｌｕｒｏｎｉｃ（登録商標）などのエチレンオキシド／プロピレンオキシドブロックポリマーとのＣ１２〜Ｃ１８アルコール及びＣ６〜Ｃ１２アルキルフェノールの縮合体、Ｃ１４〜Ｃ２２中鎖分岐状アルコール（ＢＡ）、Ｃ１４〜Ｃ２２中鎖分岐状アルキルアルコキシレート（ＢＡＥＸ（式中、ｘは１〜３０である））、アルキル多糖類；具体的にはアルキルポリグリコシド；ポリヒドロキシ脂肪酸アミド、並びにエーテルキャップ化ポリ（オキシアルキル化）アルコール界面活性剤が挙げられる。具体的な例としては、ＳｈｅｌｌからのＣ１２〜Ｃ１５のＥＯ７及びＣ１４〜Ｃ１５のＥＯ７であるＮＥＯＤＯＬ（登録商標）非イオン性界面活性剤と、ＨｕｎｔｓｍａｎからのＣ１２〜Ｃ１４のＥＯ７及びＣ１２〜Ｃ１４のＥＯ９であるＳｕｒｆｏｎｉｃ（登録商標）非イオン性界面活性剤と、が挙げられる。
【００８１】
極めて好ましい非イオン性界面活性剤は、ゲルベアルコールと、アルコール１モル当たり２〜１８モル、好ましくは２〜１５モル、より好ましくは５〜９モルのエチレンオキシドとの縮合生成物である。好適な非イオン性界面活性剤としては、ＢＡＳＦ製の商標名Ｌｕｔｅｎｓｏｌ（登録商標）を有するものが挙げられる。Ｌｕｔｅｎｓｏｌ  ＸＰ−５０は、平均で約５個のエトキシ基を含有するゲルベエトキシレートである。Ｌｕｔｅｎｓｏｌ  ＸＰ−８０、及び平均で約８個のエトキシ基を含有すること。本明細書で用いるのに好適な他の非イオン性界面活性剤としては、脂肪アルコールポリグリコールエーテル、アルキルポリグルコシド、及び脂肪酸グルカミド、ゲルベアルコールベースのアルキルポリグルコシドが挙げられる。
【００８２】
両性界面活性剤（Amphoteric surfactant）
界面活性剤系は、アミンオキシドなどの両性界面活性剤を含み得る。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中鎖分枝状アルキル部分を有し得る。
【００８３】
両性界面活性剤（Ampholytic Surfactant）
界面活性剤系は、両性界面活性剤を含み得る。両性界面活性剤の特定の非限定的な例としては、二級若しくは三級アミンの脂肪族誘導体、又は脂肪族ラジカルが直鎖若しくは分岐鎖であり得る複素環式第二級及び三級アミンの脂肪族誘導体が挙げられる。その脂肪族置換基の１つは、少なくとも約８個の炭素原子、例えば約８〜約１８個の炭素原子を含んでよく、少なくとも１つは、アニオン性水可溶化基、例えばカルボキシ、スルホン酸塩、硫酸塩を含む。両性界面活性剤の好適な例については、米国特許第３，９２９，６７８号の１９欄目、１８〜３５行を参照されたい。
【００８４】
双性イオン性界面活性剤
双性イオン性界面活性剤は当該技術分野において既知であり、一般的には、全体としては中性に荷電しているが、少なくとも１個の正に荷電した原子／基、及び少なくとも１個の負に荷電した原子／基を担持する界面活性剤を含む。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双極イオン性界面活性剤類の例に関しては、米国特許第３，９２９，６７８号の第１９欄３８行目〜第２２欄４８行目を参照されたく、アルキルジメチルベタイン及びココジメチルアミドプロピルベタインを含むベタイン、Ｃ８〜Ｃ１８（例えば、Ｃ１２〜Ｃ１８）アミンオキシド、並びにＮ−アルキル−Ｎ，Ｎ−ジメチルアミノ−１−プロパンスルホネートなどのスルホ及びヒドロキシベタインが挙げられる（ここで、アルキル基は、Ｃ８〜Ｃ１８、特定の実施形態ではＣ１０〜Ｃ１４とすることができる）。本発明で使用するのに好ましい双性イオン性界面活性剤は、ココアミドプロピルベタインである。
【００８５】
カチオン性界面活性剤
カチオン性界面活性剤の例としては、最大で２６個の炭素原子特定物を有し得る四級アンモニウム界面活性剤が挙げられる。更なる例としては、ａ）米国特許第６，１３６，７６９号に記載されているアルコキシレート四級アンモニウム（ＡＱＡ）界面活性剤、ｂ）米国特許第６，００４，９２２号に記載されているジメチルヒドロキシエチル四級アンモニウム、ｃ）参照により本明細書に組み込まれる、国際公開第９８／３５００２号、同第９８／３５００３号、同第９８／３５００４号、同第９８／３５００５号、及び同第９８／３５００６号に記載されているポリアミンカチオン性界面活性剤、ｄ）参照により本明細書に組み込まれる、米国特許第４，２２８，０４２号、同第４，２３９，６６０号、同第４，２６０，５２９号、及び同第６，０２２，８４４号に記載のカチオン性エステル界面活性剤、並びに、ｅ）参照により本明細書に組み込まれる、米国特許第６，２２１，８２５号及び国際公開第００／４７７０８号に記載されているアミノ界面活性剤、及び具体的にはアミドプロピルジメチルアミン（ＡＰＡ）が挙げられる。有用なカチオン性界面活性剤には、米国特許第４，２２２，９０５号（Ｃｏｃｋｒｅｌｌ，１９８０年９月１６日発行）、及び米国特許第４，２３９，６５９号（Ｍｕｒｐｈｙ，１９８０年１２月１６日発行）に開示されるものも含まれ、これらの両方の文献も、参照により本明細書に援用される。第四級アンモニウム化合物は、布地柔軟剤などの布地増強組成物中に存在してもよく、正電荷を有する多原子イオンの構造ＮＲ４＋（Ｒはアルキル基又はアリール基）である第四級アンモニウムカチオンを含む。
【００８６】
本発明の布地ケア組成物は、組成物の約３０重量％以下、あるいは約０．０１重量％〜約２０重量％、あるいは約０．１重量％〜約２０重量％のカチオン性界面活性剤を含有することができる。本発明の目的に対して、カチオン性界面活性剤には、布地ケア効果をもたらすことができるものが挙げられる。有用なカチオン性界面活性剤の非限定的な例として、脂肪族アミン、イミダゾリン四級物質及び四級アンモニウム界面活性剤が挙げられ、好ましくは、Ｎ，Ｎ−ビス（ステアロイル−オキシ−エチル）Ｎ，Ｎ−ジメチルアンモニウムクロリド、Ｎ，Ｎ−ビス（タローオイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルスルフェート；１，２ジ（ステアロイル−オキシ）３トリメチルアンモニウムプロパンクロリド；ジカノーラジメチルアンモニウムクロリド、ジ（ハード）タロージメチルアンモニウムクロリド、ジカノーラジメチルアンモニウムメチルサルフェートなどのジアルキレンジメチルアンモニウム塩；１−メチル−１−ステアロイルアミドエチル−２−ステアロイルイミダゾリニウムメチルサルフェート；１−タロイルアミドエチル−２−タロイルイミダゾリン；Ｎ，Ｎ”−ジアルキルジエチレントリアミン；脂肪酸が、（水素添加）タロー脂肪酸、パーム脂肪酸、水素添加パーム脂肪酸、オレイン酸、菜種脂肪酸、水素添菜種脂肪酸である脂肪酸でエステル化されたＮ−（２−ヒドロキシエチル）−１，２−エチレンジアミン又はＮ−（２−ヒドロキシイソプロピル）−１，２−エチレンジアミンとグリコール酸との反応生成物；ポリグリセロールエステル（ＰＧＥｓ）、油状糖誘導体及びワックスエマルション並びに上記の混合物である。
【００８７】
上記に開示されている柔軟剤活性物質の組み合わせが、本明細書で使用するのに好適であることが理解されよう。
【００８８】
補助洗浄添加剤
本発明の洗浄組成物はまた、補助洗浄添加剤を含有してもよい。洗浄補助添加剤の正確な性質、及びこれの添加濃度は、洗浄組成物の物理形態、及びそれが使用される洗浄作業の正確な性質によって変化する。
【００８９】
補助洗浄添加剤は、ビルダー、構造化剤又は増粘剤、泥汚れ除去／再付着防止剤、高分子汚れ遊離剤、高分子分散剤、高分子グリース洗浄剤、酵素、酵素安定化系、漂白化合物、漂白剤、漂白活性剤、漂白触媒、増白剤、染料、色調剤、移染防止剤、キレート剤、抑泡剤、柔軟剤、及び香料からなる群から選択され得る。この補助洗浄添加剤の一覧は単に例示的なものであり、使用可能な補助洗浄添加剤の種類を限定するものではない。原則として、本発明では当該技術分野で既知の任意の補助洗浄添加剤を使用することができる。
【００９０】
ポリマー
当該組成物は１つ以上のポリマーを含んでよい。そのすべてが任意で改質されてもよい非限定的な例としては、国際公開第２０１６／０４１６７６号に記載される、ポリエチレンイミン、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、ポリカルボキシレート、又はアルコキシル化置換フェノール（ＡＳＰ）が挙げられる。ＡＳＰ分散剤の例としては、Ｃｌａｒｉａｎｔから入手可能なＨＯＳＴＡＰＡＬ  ＢＶ  ＣＯＮＣ  Ｓ１０００が挙げられるがこれに限定されない。
【００９１】
ポリアミンは、グリース、微粒子除去、又は染み除去のために使用され得る。多種多様なアミン及びポリアルキレンイミンを様々な程度でアルコキシル化して疎水性又は親水性の洗浄を達成することができる。このような化合物としては、エトキシル化ポリエチレンイミン、エトキシル化ヘキサメチレンジアミン、及びこれらの硫酸化体を挙げることができるが、これらに限定されない。こうしたポリマーの有用な例は、ＢＡＳＦから入手可能なＨＰ２０、又は以下の一般構造を有するポリマーである。
【００９２】
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎは２０〜３０、ｘは３〜８）又はその硫酸化若しくはスルホン化型。ポリプロポキシル化−ポリエトキシル化両親媒性ポリエチレンイミン誘導体もまた、より高いグリース除去性及び乳化を達成するために含まれてよい。これらは、好ましくは内側ポリエチレンオキシドブロック及び外側ポリプロピレンオキシドブロックを有するアルコキシル化ポリアルキレンイミンを含んでいてもよい。洗剤組成物はまた、向上した飲料染み除去に有用な未変性ポリエチレンイミンを含有してもよい。様々な分子量のＰＥＩが、ＢＡＳＦ  Ｃｏｒｐｏｒａｔｉｏｎから商品名Ｌｕｐａｓｏｌ（登録商標）で市販されている。好適なＰＥＩの例としては、Ｌｕｐａｓｏｌ  ＦＧ（登録商標）、Ｌｕｐａｓｏｌ  Ｇ−３５（登録商標）が挙げられるが、これらに限定されない。
【００９３】
本発明の組成物は、高分子分散剤として有用なマレエート／アクリレートランダムコポリマー又はポリアクリレートホモポリマーなどの１つ以上のカルボキシレートポリマーを含み得る。ポリアクリレートから調製されるものなどのアルコキシル化ポリカルボキシレートもまた、粘土分散性を与えるうえで有用である。こうした材料は国際公開第９１／０８２８１号に記載されている。化学的に、これら材料は、７〜８個のアクリレート単位ごとに１個のエトキシ側鎖を有するポリアクリレートを含む。側鎖は、式−（ＣＨ２ＣＨ２Ｏ）ｍ（ＣＨ２）ｎＣＨ３［式中、ｍは、２〜３であり、ｎは、６〜１２である］のものである。側鎖は、ポリアクリレート「主鎖」にエステル又はエーテル結合され、「櫛形」ポリマー型構造を提供する。
【００９４】
好ましい両親媒性グラフトコポリマー（複数可）は、（ｉ）ポリエチレングリコール主鎖と、（ｉｉ）ポリ酢酸ビニル、ポリビニルアルコール及びこれらの混合物から選択される少なくとも１つのペンダント部分と、を含む。両親媒性グラフトコポリマーの例は、ＢＡＳＦから供給されるＳｏｋａｌａｎ  ＨＰ２２である。
【００９５】
国際公開第２０１６／０４１６７６号に記載のアルコキシル化置換フェノールもまた、粘土分散性を与えるポリマーの好適な例である。Ｃｌａｒｉａｎｔから入手可能なＨｏｓｔａｐａｌ  ＢＶ  Ｃｏｎｃ  Ｓ１０００，は、ＡＳＰ分散剤の非限定的な一例である。
【００９６】
好ましくは、本発明の組成物は、１種以上の汚れ遊離ポリマーを含む。好適な汚れ遊離ポリマーは、Ｒｈｏｄｉａによって供給されているＲｅｐｅｌ−ｏ−ｔｅｘ  ＳＦ、ＳＦ−２、及びＳＲＰ６を含むＲｅｐｅｌ−ｏ−ｔｅｘポリマーなどのポリエステル汚れ遊離ポリマーである。他の好適な汚れ遊離ポリマーとしては、Ｃｌａｒｉａｎｔより供給されるＴｅｘｃａｒｅ  ＳＲＡ１００、ＳＲＡ３００、ＳＲＮ１００、ＳＲＮ１７０、ＳＲＮ２４０、ＳＲＮ２６０、ＳＲＮ３００、及びＳＲＮ３２５を含むＴｅｘｃａｒｅポリマーなどが挙げられる。他の好適な汚れ遊離ポリマーは、Ｓａｓｏｌより供給される、Ｍａｒｌｏｑｕｅｓｔ  ＳＬ、ＨＳＣＢ、Ｌ２３５Ｍ、Ｂ、Ｇ８２を含むＭａｒｌｏｑｕｅｓｔポリマーである。他の好適な汚れ遊離ポリマーとしては、米国特許第９，３６５，８０６号に記載されるメチルキャップされたエトキシル化プロポキシル化汚れ遊離ポリマーが挙げられる。
【００９７】
好ましくは、本発明の組成物は、特にカルボキシメチルセルロース、メチルカルボキシメチルセルロース、スルホエチルセルロース、メチルヒドロキシエチルセルロース、カルボキシメチルキシログルカン、カルボキシメチルキシラン、スルホエチルガラクトマンナン、カルボキシメチルガラクトマンナン、ヒドロキシエチルガラクトマンナン、スルホエチルデンプン、カルボキシメチルデンプン、及びそれらの混合物から選択され得る１つ以上の多糖を含む。本発明に用いるのに好適な他の多糖はグルカンである。好ましいグルカンは、グリコシド結合（すなわち、グルコシド結合）によって一体に結合されたグルコースモノマー単位を含むポリマーであり、グリコシド結合の少なくとも約５０％はα−１，３−グリコシド結合である、ポリα−１，３−グルカンである。ポリα−１，３−グルカンは多糖類の一種である。ポリα−１，３−グルカンは、例えばそのすべてが参照により本明細書に組み込まれる米国特許第７，０００，０００号、並びに米国特許出願公開第２０１３／０２４４２８８号及び同第２０１３／０２４４２８７号に記載されるものなどの１つ以上のグルコシルトランスフェラーゼ酵素を使用して、スクロースから酵素的に産生することができる。
【００９８】
本発明の組成物に使用するための他の好適な多糖類は、カチオン性多糖類である。カチオン性多糖類の例としては、カチオン性グアーガム誘導体、四級窒素含有セルロースエーテル、及びエーテル化セルロースと、グアーと、デンプンとのコポリマーである合成ポリマーが挙げられる。使用される場合、本明細書におけるカチオン性ポリマーは、組成物に可溶性であるか、又は上述のカチオン性ポリマー、並びにアニオン性、両性及び／又は双極性界面活性剤成分によって形成される組成物中の複合コアセルベート相に可溶性である。好適なカチオン性ポリマーは、米国特許第３，９６２，４１８号、同第３，９５８，５８１号、及び米国特許出願公開第２００７／０２０７１０９（Ａ１）号に記載されている。
【００９９】
ポリマーは、他の洗剤原材料の付着助剤としても機能し得る。好ましい付着助剤は、カチオン性及び非イオン性ポリマーからなる群から選択される。好適なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意選択的にアクリル酸及びアクリルアミドを含む群から選択される１つ以上のモノマーと共にジメチルアミノエチルメタクリレートを含有するポリマーが挙げられる。
【０１００】
追加的アミン
ポリアミンは、グリース除去性を改善することが知られている。性能のために好ましい環状及び直鎖アミンは、１，３−ビス（メチルアミン）−シクロヘキサン、４−メチルシクロヘキサン−１，３−ジアミン（ＢＡＳＦにより供給されるＢａｘｘｏｄｕｒ  ＥＣＸ  ２１０）、１，３プロパンジアミン、１，６ヘキサンジアミン、１，３ペンタンジアミン（Ｉｎｖｉｓｔａにより供給されるＤｙｔｅｋ  ＥＰ）、２−メチル１，５ペンタンジアミン（Ｉｎｖｉｓｔａにより供給されるＤｙｔｅｋ  Ａ）である。米国特許第６７１００２３号は、少なくとも３つのプロトン化可能なアミンを含有する上記のジアミン及びポリアミンを含有する食器手洗い用組成物を開示している。本発明のポリアミンは、洗浄ｐＨよりも高い少なくとも１つのｐＫａ及び約６よりも高く、洗浄ｐＨよりも低い少なくとも２つのｐＫａを有する。好ましいポリアミンは、Ｄｏｗ、ＢＡＳＦ、及びＨｕｎｔｍａｎから市販されるテトラエチレンペンタミン、ヘキサエチルヘキサミン、ヘプタエチルヘプタミン、オクタエチルオクタミン、ノネエチルノナミン、及びこれらの混合物からなる群から選択される。特に好ましいポリエーテルアミンは、米国特許第９７５２１０１号、同第９４８７７３９号、同第９６３１１６３号に記載されるように親油性変性されている。
【０１０１】
移染防止剤（ＤＴＩ）
当該組成物は、１種以上の移染防止剤を含んでよい。本発明の一実施形態では、驚くべきことに、特定の染料に加えて、ポリマー移染防止剤を含む組成物は、性能が向上することを本発明者らは発見した。これは、驚くべきことに、ポリマー移染防止剤が染料の付着を防ぐためである。好適な移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限らない。好適な例としては、Ａｓｈｌａｎｄ  Ａｑｕａｌｏｎ製のＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３Ｅ、及びＣｈｒｏｍａｂｏｎｄ  Ｓ−１００、並びにＢＡＳＦ製のＳｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６が挙げられる。他の好適なＤＴＩは、国際公開第２０１２／００４１３４号に記載されているとおりである。移染防止剤は、対象組成物中に存在する場合、組成物の約０．０００１重量％〜約１０重量％、約０．０１重量％〜約５重量％、又は更には約０．１重量％〜約３重量％の濃度で存在してよい。
【０１０２】
酵素
布地の洗濯の際に遊離する移染を防止するため、並びに布地を修復するための、タンパク質系、炭水化物系、又はトリグリセリド系の染みの基質からの除去を含む多様な目的のために、酵素を本洗浄組成物に含めてもよい。好適な酵素には、植物、動物、細菌、真菌、及び酵母起源質のような好適な起源物質からのプロテアーゼ、アミラーゼ、リパーゼ、カルボヒドラーゼ、セルラーゼ、オキシダーゼ、ペルオキシダーゼ、マンナナーゼ及びこれらの混合物が含まれる。本明細書に記載される洗浄組成物に用いられ得る他の酵素としては、ヘミセルラーゼ、ペルオキシダーゼ、プロテアーゼ、セルラーゼ、エンドグルカナーゼ、キシラナーゼ、リパーゼ、ホスホリパーゼ、アミラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルナーゼ、アラビノシダーゼ、ヒアルロニダーゼ、コンドロイチナーゼ、ラッカーゼ、若しくはこれらの混合物、エステラーゼ、マンナナーゼ、ペクチン酸リアーゼ、及び／又はこれらの混合物が挙げられる。他の好適な酵素としては、ヌクレアーゼ酵素が挙げられる。当該組成物は、ヌクレアーゼ酵素を含み得る。ヌクレアーゼ酵素は、核酸のヌクレオチドサブユニット間のホスホジエステル結合を切断することができる酵素である。本明細書におけるヌクレアーゼ酵素は、好ましくは、デオキシリボヌクレアーゼ若しくはリボヌクレアーゼ酵素又はこれらの機能的断片である。酵素の選択は、ｐＨ活性及び／又は安定性の最適条件、熱安定性、及び活性洗剤、ビルダーなどに対する安定性のような要因に影響される。
【０１０３】
酵素は、洗浄組成物の約０．０００１重量％〜約５重量％の活性酵素濃度で洗浄組成物に組み込むことができる。酵素は、別個の単一成分として、又は２種以上の酵素の混合物として、加えることができる。
【０１０４】
他の実施形態では、リパーゼが用いられ得る。リパーゼは、Ｎｏｖｏｚｙｍｅｓ（Ｄｅｎｍａｒｋ）から商品名Ｌｉｐｅｘで購入することができる。アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））は、Ｎｏｖｏｚｙｍｅｓ（Ｂａｇｓｖａｅｒｄ，Ｄｅｎｍａｒｋ）により供給され得る。プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆ．，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標）、Ｓａｖｉｎａｓｅ（登録商標））により供給され得る。他の好ましい酵素としては、好ましくは商品名Ｐｅｃｔａｗａｓｈ（登録商標）、Ｘｐｅｃｔ（登録商標）、Ｐｅｃｔａｗａｙ（登録商標）で販売されるペクチン酸リアーゼ、並びに商品名Ｍａｎｎａｗａｙ（登録商標）（すべてＮｏｖｏｚｙｍｅｓ  Ａ／Ｓ（Ｂａｇｓｖａｅｒｄ，Ｄｅｎｍａｒｋ）製）、及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））で販売されているマンナナーゼが挙げられる。酵素材料の範囲、及びそれらの合成洗浄組成物への組み込みのための手段は、国際公開第９３０７２６３（Ａ）号、同第９３０７２６０（Ａ）号、同第８９０８６９４（Ａ）号、米国特許第３，５５３，１３９号、同第４，１０１，４５７号、及び同第４，５０７，２１９号に開示されている。液体洗浄組成物に有用な酵素材料、及びこうした組成物へのそれらの添加は、米国特許第４，２６１，８６８号に開示される。
【０１０５】
酵素安定化系
本明細書に記載されている酵素含有組成物は、任意選択的に、組成物の約０．００１重量％〜約１０重量％、いくつかの例では、約０．００５重量％〜約８重量％、及び別の例では、約０．０１重量％〜約６重量％の酵素安定化系を含んでもよい。酵素安定化系は、洗浄性酵素と適合性のある任意の安定化系であってよい。そのような系は、他の配合物活性物質によって本質的に提供されてもよく、又は洗剤に使用可能な酵素の配合者若しくは製造業者によって別個に添加されてもよい。かかる安定化系は、例えば、カルシウムイオン、ホウ酸、プロピレングリコール、短鎖カルボン酸、ボロン酸、塩素漂白剤捕捉剤、及びこれらの混合物を含むことができ、洗浄組成物のタイプ及び物理的形態に応じて異なる安定化問題に対処するように設計されている。ホウ酸塩系安定化剤の再検討には、米国特許第４，５３７，７０６号を参照されたい。
【０１０６】
キレート剤。
好ましくは、当該組成物は、キレート剤及び／又は結晶成長阻害物質を含む。好適な分子としては、銅、鉄、及び／又はマンガンキレート剤並びにこれらの混合物が挙げられる。好適な分子としては、アミノカルボキシレート、アミノホスホネート、サクシネート、これらの塩、及びこれらの混合物が挙げられる。本明細書に用いるのに好適なキレート剤の非限定的な例としては、エチレンジアミンテトラアセテート、Ｎ−（ヒドロキシエチル）−エチレン−ジアミン−トリアセテート、ニトリロトリアセテート、エチレンジアミンテトラプロピオネート、トリエチレンテトラアミン、トリエチレン−テトラアミン−ヘキサアセテート、ジエチレントリアミン、ジエチレントリアミン−ペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）、及び１，２−ジイドロキシベンゼン−３，５−ジスルホン酸（タイロン）、これらの塩、及びこれらの混合物が挙げられる。タイロン及び他のスルホン化カテコールもまた、有効な重金属キレート剤として用いられ得る。本発明で用いるキレート剤の他の非限定的な例は、米国特許第７４４５６４４号、同第７５８５３７６号、及び米国特許出願公開第２００９／０１７６６８４（Ａ１）号で見出される。本明細書に用いるのに好適な他のキレート剤は、市販のＤＥＱＵＥＳＴシリーズ、並びにＭｏｎｓａｎｔｏ製、ＤｕＰｏｎｔ製、及びＮａｌｃｏ，Ｉｎｃ．製のキレート剤である。
【０１０７】
増白剤
蛍光増白剤若しくは他の増白剤、又は白化剤は、組成物の重量基準で、約０．０１％〜約１．２％の濃度で本明細書に記載されている洗浄組成物に組み込むことができる。本明細書で使用できる市販の蛍光増白剤は、スチルベン、ピラゾリン、クマリン、カルボン酸、メチンシアニン、ジベンゾチフェン（dibenzothiphene）−５，５−ジオキシド、アゾール、５及び６員複素環、並びに他の様々な剤の誘導体が挙げられるが必ずしもこれらに限定されない副群に分類することができる。こうした増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」（Ｍ．Ｚａｈｒａｄｎｉｋ，Ｊｏｈｎ  Ｗｉｌｅｙ  ＆  Ｓｏｎｓ，Ｎｅｗ  Ｙｏｒｋ（１９８２））に開示されている。本発明の組成物で有用であり得る蛍光増白剤の具体的な非限定例は、米国特許第４，７９０，８５６号、及び同第３，６４６，０１５号で特定されるものである。非常に好ましい増白剤としては、４，４’−ビス｛［４−アニリノ−６−［ビス（２−ヒドロキシエチル）アミノ−ｓ−トリアジン−２−イル］−アミノ｝−２，２’−スチルベンジスルホン酸二ナトリウム、４，４’−ビス｛［４−アニリノ−６−モルホリノ−ｓ−トリアジン−２−イル］−アミノ｝−２，２’−スチルベンジスルホネート、４，４”−ビス［（４，６−ジ−アニリノ−ｓ−トリアジン−２−イル）−アミノ］−２，２’−スチルベンジスルホン酸二ナトリウム、及び４，４’−ビス−（２−スルホスチリル）ビフェニル二ナトリウムが挙げられる。
【０１０８】
漂白剤。
当該組成物は１つ以上の漂白剤を含むことが好ましい場合がある。好適な漂白剤としては、光漂白剤、過酸化水素、過酸化水素源、予形成過酸、及びこれらの混合物が挙げられる。
（１）光漂白剤、例えば、スルホン化亜鉛フタロシアニン、スルホン化アルミニウムフタロシアニン、キサンテン染料、及びこれらの混合物。
（２）予形成過酸：好適な予形成過酸としては、予形成ペルオキシ酸又はその塩、典型的には過カルボン酸及び塩、過炭酸及び塩、過イミド酸及び塩、ペルオキシ一硫酸及び塩、例えばＯｘｏｎｅ（登録商標）、並びにこれらの混合物からなる群から選択される化合物が挙げられるが、これらに限らない。好適な例としては、ペルオキシカルボン酸若しくはその塩、又はペルオキシスルホン酸若しくはその塩が挙げられる。特に好ましいペルオキシ酸は、フタルイミド−ペルオキシ−アルカン酸、特に、ε−フタルイミドペルオキシヘキサン酸（ＰＡＰ）である。好ましくは、ペルオキシ酸又はその塩は、３０℃〜６０℃の範囲の融点を有する。
（３）過酸化水素源、例えば、過ホウ酸塩（通常、一水和物又は四水和物）、過炭酸塩、過硫酸塩、過リン酸塩、過ケイ酸塩及びこれらの混合物のナトリウム塩などのアルカリ金属塩を含む、無機過水和物の塩。
【０１０９】
布帛シェーディング染料
布帛シェーディング染料（色調剤、青味剤又は白色剤と呼ばれることもある）は、典型的には、青又は紫の色合いを布帛にもたらす。こうした染料（複数可）は当該技術分野で周知されており、単独又は組み合わせのいずれかで用いられて、特定の色相の濃淡を作り出す、及び／又は様々な種類の布地に濃淡をつけることができる。布帛シェーディング染料は、アクリジン、アントラキノン（多環式キノンを含む）、アジン、アゾ（例えば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテン及びこれらの混合物を含むがこれらに限定されない、当該技術分野において既知の任意の化学分類の染料から選択することができる。本発明の洗濯ケア組成物中に存在する補助布帛シェーディング染料の量は、典型的には、全洗浄組成物の０．０００１〜０．０５重量％、好ましくは０．０００１〜０．００５重量％である。洗浄液に基づいて、布帛シェーディング染料の濃度は、典型的には１ｐｐｂ〜５ｐｐｍ、好ましくは１０ｐｐｂ〜５００ｐｐｂである。
【０１１０】
好適な布帛シェーディング染料としては、小分子染料、ポリマー染料、及び染料−粘土結合体が挙げられる。好ましい布帛シェーディング染料は、小分子染料及び高分子染料から選択される。好適な小分子染料を、カラーインデックス（Ｃ．Ｉ．，Ｓｏｃｉｅｔｙ  ｏｆ  Ｄｙｅｒｓ  ａｎｄ  Ｃｏｌｏｕｒｉｓｔｓ，（Ｂｒａｄｆｏｒｄ，ＵＫ））分類の酸性染料、直接染料、塩基性染料、反応染料、溶剤染料、又は分散染料に該当する染料からなる群から選択することができる。
【０１１１】
好適なポリマー染料としては、共有結合した（結合したと称することもある）色原体（染料ポリマー結合体としても知られるもの）を含有するポリマー、例えば、ポリマーの主鎖中に共重合した色原体モノマーを有するポリマー及びこれらの混合物からなる群から選択される染料が挙げられる。好ましいポリマー染料は、アルコキシル化トリフェニルメタンポリマー着色剤、アルコキシル化炭素環アゾ着色剤、及びアルコキシル化チオフェンポリマー着色剤をはじめとするアルコキシル化複素環アゾ着色剤、並びにそれらの混合物などの任意選択的に置換されたアルコキシル化染料を含み、Ｌｉｑｕｉｔｉｎｔ（登録商標）（Ｍｉｌｌｉｋｅｎ，Ｓｐａｒｔａｎｂｕｒｇ，（Ｓｏｕｔｈ  Ｃａｒｏｌｉｎａ，ＵＳＡ））の名称で販売の布地染色性着色剤（ｆａｂｒｉｃ−ｓｕｂｓｔａｎｉｖｅ  ｃｏｌｏｒａｎｔｓ）などがある。
【０１１２】
好適な染料粘土結合体としては、少なくとも１つのカチオン染料／塩基性染料及びスメクタイト粘土を含む群から選択される染料粘土結合体が挙げられ、好ましい粘土は、モンモリロナイト粘土、ヘクトライト粘土、サポナイト粘土、及びそれらの混合物からなる群から選択されるものでよい。
【０１１３】
顔料は当該技術分野で周知されており、これも本明細書の洗濯ケア組成物に使用することができる。好適な顔料としては、Ｃ．Ｉ  Ｐｉｇｍｅｎｔ  Ｂｌｕｅｓ  １５〜２０、特に１５及び／又は１６、Ｃ．Ｉ．Ｐｉｇｍｅｎｔ  Ｂｌｕｅ  ２９、Ｃ．Ｉ．Ｐｉｇｍｅｎｔ  Ｖｉｏｌｅｔ  １５、Ｍｏｎａｓｔｒａｌ  Ｂｌｕｅ、並びにこれらの混合物が挙げられる。
【０１１４】
ビルダー
本発明の洗浄組成物は、任意選択的に、ビルダーを含んでもよい。
【０１１５】
アルミノシリケート及びシリケートから選択されるビルダーは、洗浄水中の鉱物硬度の制御を助け、又は表面からの微粒子汚れの除去を助ける。好適なビルダーは、リン酸塩、ポリリン酸塩、特にそのナトリウム塩、炭酸塩、重炭酸塩、セスキ炭酸塩、及び炭酸ナトリウム又はセスキ炭酸塩以外の炭酸塩鉱物；有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸からなる群から選択され得る。これらは、例えば、ｐＨ緩衝化の目的のためのホウ酸塩によって、又は硫酸塩、とりわけ硫酸ナトリウム、及び安定な界面活性剤及び／又はビルダー含有洗浄組成物の工学に重要となり得る任意の他の充填剤又はキャリアによって補完されてもよい。
【０１１６】
ｐＨ緩衝系
本発明の組成物はまた、ｐＨ緩衝系を含んでもよい。本明細書の洗浄組成物は、水性洗浄操作における使用中に、洗浄水のｐＨが約６．０〜約１２、いくつかの実施例では約７．０〜１１となるように配合することができる。推奨される使用濃度でｐＨを制御する技法としては、緩衝剤、アルカリ、又は酸の使用が挙げられ、これらは当業者には公知である。これらとしては、炭酸ナトリウム、クエン酸、又はクエン酸ナトリウム、モノエタノールアミン又は他のアミン、ホウ酸又はホウ酸塩、及び当該技術分野において既知の他のｐＨ調整化合物の使用が挙げられるがこれらに限定されない。本明細書の洗浄組成物は、クエン酸の放出を遅延させることにより、動的な洗浄中ｐＨプロファイルを含むことができる。
【０１１７】
構造化剤／増粘剤
構造化液体は、内部的に構造化することによって、一次成分（例えば界面活性剤材料）によってその構造を形成することも、及び／又は、二次成分（例えば、ポリマー、粘土、及び／又はケイ酸塩材料）を用いて、三次元マトリックス構造をもたらすことによって、外部的に構造化することもできる。本発明の組成物は、組成物の重量に基づき約０．０１％〜約５％の構造化剤、及びいくつかの例では、組成物の重量に基づき約０．１％〜約２．０％の構造化剤を含み得る。構造化剤は、ジグリセリド及びトリグリセリド、ジステアリン酸エチレングリコール、微結晶セルロース、セルロース系物質、マイクロファイバーセルロース、バイオポリマー、キサンタンガム、ジェランガム、及びこれらの混合物からなる群から選択され得る。いくつかの実施例において、好適な構造化剤としては、硬化ヒマシ油、及びその非エトキシル化誘導体が挙げられる。他の好適な構造化剤は、米国特許第６，８５５，６８０号に開示されている。このような構造化剤は、ある範囲のアスペクト比を有する糸様構造系を有する。更なる好適な構造化剤、及びそれらの構造化剤を製造するプロセスは、国際公開第２０１０／０３４７３６号に記載されている。
【０１１８】
抑泡剤
泡の形成を低減又は抑制するための化合物を、本明細書に記載の洗浄組成物に組み込むことができる。抑泡制は、米国特許第４，４８９，４５５号及び同第４，４８９，５７４号に記載されているようないわゆる「高濃度洗浄プロセス」において、そしてフロントローディング方式の洗濯機において、特に重要となり得る。
【０１１９】
広範な材料を抑泡剤として使用してよく、抑泡剤は当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ  ＆  Ｓｏｎｓ，Ｉｎｃ．、１９７９年）を参照されたい。抑泡剤の例としては、モノカルボン脂肪酸及びその中の可溶性塩、パラフィンなどの高分子量炭化水素、脂肪酸エステル（例えば脂肪酸トリグリセリド）、一価アルコールの脂肪酸エステル、脂肪族Ｃ１８〜Ｃ４０ケトン（例えばステアロン（stearone））、Ｎ−アルキル化アミノトリアジン、好ましくは約１００℃未満の融点を有するろう質炭化水素、シリコーン抑泡剤、及び二級アルコールが挙げられる。抑泡剤は、米国特許第２，９５４，３４７号、同第４，０７５，１１８号、同第４，２６５，７７９号、同第４，２６５，７７９号、同第３，４５５，８３９号、同第３，９３３，６７２号、同第４，６５２，３９２号、同第４，９７８，４７１号、同第４，９８３，３１６号、同第５，２８８，４３１号、同第４，６３９，４８９号、同第４，７４９，７４０号、及び同第４，７９８，６７９号に記載されている。
【０１２０】
本明細書の洗浄組成物は、組成物の０重量％〜約１０重量％の抑泡剤を含んでもよい。抑泡剤として利用する場合、モノカルボキシル脂肪酸及びその塩は、洗浄組成物の最大約５重量％、及び一部の例では、洗浄組成物の約０．５重量％〜約３重量％の量で存在することができる。シリコーン抑泡剤は、最大で洗浄組成物の約２．０重量％の量で使用され得るが、より多い量を使用することもできる。モノステアリルホスフェート抑泡剤は、洗浄組成物の約０．１重量％〜約２重量％の範囲の量で利用することができる。炭化水素系抑泡剤は、洗浄組成物の約０．０１重量％〜約５．０重量の範囲の量で利用することができるが、より多い量を使用してもよい。アルコール抑泡剤は、洗浄組成物の約０．２重量％〜約３重量％で使用することができる。
【０１２１】
増泡剤
高い起泡性が望まれる場合、Ｃ１０〜Ｃ１６アルカノールアミドなどのこうした増泡剤を、洗浄組成物の約１重量％〜約１０重量％で洗浄組成物に組み込むことができる。いくつかの例としては、Ｃ１０〜Ｃ１４モノエタノール及びジエタノールアミドが挙げられる。所望の場合、更なる泡をもたらして、グリース除去性能を高めるために、ＭｇＣｌ２、ＭｇＳＯ４、ＣａＣｌ２、ＣａＳＯ４などの水溶性マグネシウム及び／又はカルシウム塩を、洗浄組成物の約０．１重量％〜約２重量％のレベルで加えてもよい。
【０１２２】
充填剤及び担体
本明細書に記載されている洗浄組成物中に、充填剤及び担体を使用してもよい。本明細書で使用するとき、「充填剤」及び「担体」という用語は、同じ意味を有し、互換的に使用することができる。液体洗浄組成物、及び液体成分を含む他の形態の洗浄組成物（液体含有単位用量の洗浄組成物など）は、水及び他の溶媒を充填剤又はキャリアとして含有してもよい。メタノール、エタノール、プロパノール、イソプロパノール、及びフェノキシエタノールによって例示される低分子量の一級又は二級アルコールが好適である。いくつかの例では、一価アルコールは、界面活性剤を可溶化するために用いられてもよく、並びに２〜約６個の炭素原子及び２〜約６個のヒドロキシ基を含有するものなどのポリオール（例えば、１，２−プロパンジオール、１，３−プロパンジオール、２，３−ブタンジオール、エチレングリコール、及びグリセリンが用いられてもよい）。アミン含有溶媒もまた使用してよい。
【０１２３】
使用方法
本発明は、布地を白化するための方法を含む。消費者への販売に好適であるコンパクトな流体洗剤組成物は、洗濯前処理用途、洗濯洗浄用途、及びホームケア用途での使用に好適である。こうした方法としては、洗剤組成物を未希釈形態で、又は洗浄液中で希釈して、汚れていても汚れていなくてもよい布地の少なくとも一部分と接触させ、次いで任意選択的に布地をすすぐ工程が挙げられるが、これに限定されない。任意のすすぎ工程の前に、布地材料を洗浄工程に供してもよい。機械洗濯の方法は、本発明による有効量の機械洗濯洗剤組成物を溶解又は分散した洗濯機中で汚れた洗濯物を水性洗浄溶液で処理することを含み得る。洗剤組成物の「有効量」とは、約５Ｌ〜約６５Ｌの体積の洗浄溶液中に溶解又は分散された約２０ｇ〜約３００ｇの製品を意味する。水温は、約５℃〜約１００℃の範囲であってもよい。水の汚れた材料（例えば、布地）に対する比は、約１：１〜約３０：１であってよい。本発明の組成物は、溶液中約５００ｐｐｍ〜約１５，０００ｐｐｍの濃度で使用され得る。布地洗濯組成物との関連では、使用濃度は、汚れ及び染みの種類及び激しさだけでなく、洗浄水の温度、洗浄水の容量、及び洗濯機の種類（例えば、上側投入式、前側投入式、垂直軸型日本式自動洗濯機）に応じても変化し得る。
【０１２４】
本明細書の洗剤組成物は、低下した洗浄温度で布地を洗濯するために使用され得る。布地を洗濯するこれらの方法は、洗濯洗剤組成物を水に送達して洗浄液を形成する工程と、洗濯する布地を当該洗浄液に添加する工程とを含み、当該洗浄液は、約０Ｃ〜約２０℃、又は約０℃〜約１５℃、又は約０℃〜約９℃の温度を有する。洗濯洗剤組成物を水と接触させる前、又は後、又はそれと同時に、布地を水に接触させてもよい。別の方法としては、洗剤組成物を含浸させた不織布基材を汚れた材料と接触させることを含む。本明細書で使用するとき、「不織布基材」は、適した坪量、キャリパー（厚み）、吸収性、及び強度特性を有する任意の従来式の不織布シート又はウェブを含み得る。好適な市販の不織布基材の非限定的な例としては、ＤｕＰｏｎｔより商品名ＳＯＮＴＡＲＡ（登録商標）及びＪａｍｅｓ  Ｒｉｖｅｒ  Ｃｏｒｐより商品名ＰＯＬＹ  ＷＥＢ（登録商標）で市販されているものが挙げられる。
【０１２５】
手洗浄／浸漬方法、及び手洗浄と半自動洗浄機との組み合わせもまた含まれる。
【０１２６】
組成物の包装
本明細書に記載の洗浄組成物は、紙、ボール紙、プラスチック材料、及び任意の好適な積層体から構築されるものを含む、任意の好適な容器に包装することができる。任意のパッケージングの種類は欧州特許出願第９４９２１５０５．７号に記載されている。
【０１２７】
多区画パウチ
本明細書に記載される洗浄組成物は、多区画洗浄組成物として包装することもできる。
【０１２８】
他の補助剤成分
多種多様なその他の成分が本明細書の洗浄組成物中で使用されてもよく、その他の成分としては、例えば、他の活性成分、キャリア、ヒドロトロープ、加工助剤、染料又は顔料、液体配合物用溶媒、固体又は他の液体充填剤、エリトロシン、コロイド状（colliodal）シリカ、ろう、プロバイオティクス、サーファクチン（surfactin）、アミノセルロース系ポリマー、リシノール酸亜鉛、香料マイクロカプセル、ラムノリピド（rhamnolipds）、ソホロリピッド、グリコペプチド、メチルエステルエトキシレート、スルホン化エストリド、開裂性界面活性剤、バイオポリマー、シリコーン、変性シリコーン、アミノシリコーン、付着助剤、ヒドロトロープ（特にクメンスルホン酸塩、トルエンスルホン酸塩、キシレンスルホン酸塩、及びナファレン（naphalene）塩）、ＰＶＡ粒子封入染料又は香料、真珠光沢剤、発泡剤、色調変更系、シリコーンポリウレタン、乳白剤、錠剤崩壊剤、バイオマス充填剤、高速乾燥シリコーン、グリコールジステアレート、デンプン香料封入物 、炭化水素油を含む乳化油、ポリオレフィン、並びに脂肪酸エステル、ビスフェノール酸化防止剤、微細繊維セルロース構造化剤、プロ香料、スチレン／アクリレートポリマー、トリアジン、石鹸、スーパーオキシドジスムターゼ、ベンゾフェノンプロテアーゼ阻害剤、官能化ＴｉＯ２、ジブチルホスフェート、シリカ香料カプセル、並びに他の補助成分、コリンオキシダーゼ、トリアリールメタンブルー及びバイオレット塩基性染料、メチンブルー及びバイオレット塩基性染料、アントラキノンブルー及びバイオレット塩基性染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡ及びキサンテン染料ベーシックバイオレット１０、アルコキシル化トリフェニルメタンポリマー着色剤、アルコキシル化チオペン（thiopene）ポリマー着色剤、チアゾリウム染料、雲母、二酸化チタンコーティング雲母、オキシ塩化ビスマス、並びに他の活性物質が挙げられる。
【０１２９】
酸化防止剤：当該組成物は、所望により、当該組成物中に存在する酸化防止剤を約０．００１〜約２重量％含有していてよい。好ましくは、酸化防止剤は、０．０１〜０．０８重量％の範囲の濃度で存在する。酸化防止剤の混合物を使用してもよい。
【０１３０】
本発明で使用される酸化防止剤の１部類は、アルキル化フェノールである。ヒンダードフェノール化合物は、この式を有するアルキル化フェノールの好ましい種類である。この種の好ましいヒンダードフェノール化合物は、３，５−ジ−ｔｅｒｔ−ブチル−４−ヒドロキシトルエン（ＢＨＴ）である。
【０１３１】
更に、組成物に使用される酸化防止剤は、α−、β−、γ−、δ−−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びこれらの塩、並びにこれらの混合物からなる群から選択され得る。
【０１３２】
本明細書に記載の洗浄組成物はまた、水溶性ビタミン及びその誘導体、水溶性アミノ酸並びにその塩及び／又は誘導体、水不溶性アミノ酸粘度調整剤などのビタミン及びアミノ酸、染料、不揮発性溶媒又は希釈剤（水溶性及び非水溶性）、真珠光沢助剤、殺シラミ剤（pediculocide）、ｐＨ調整剤、防腐剤、皮膚活性剤、日焼け止め、ＵＶ吸収剤、ナイアシンアミド、カフェイン、並びにミノキシジルを含有し得る。
【０１３３】
本発明の洗浄組成物は、Ｃ．Ｉ．名を有するような水溶性成分を含め、ニトロソ、モノアゾ、ジスアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン（phthalocianine）、植物着色料、及び天然着色料等の顔料材も含んでよい。
【０１３４】
本発明の洗浄組成物はまた、抗菌剤を含有してもよい。カチオン性活性成分としては、ｎ−アルキルジメチルベンジルアンモニウムクロリド、アルキルジメチルエチルベンジルアンモニウムクロリド、ジアルキルジメチル四級アンモニウム化合物、例えば、ジデシルジメチルアンモニウムクロリド、Ｎ，Ｎ−ジデシル−Ｎメチル−ポリ（オキシエチル）アンモニウムプロピオネート、ジオクチルジデシルアンモニウムクロリド（臭素などの無機又は有機対イオンを有する塩化ベンゼトニウム及び四級アンモニウム化合物などの四級種も含む）、炭酸塩、若しくはジアルキルジメチルアンモニウムカーボネートを含む他の部分に加えて、抗菌アミン、例えば、グルコン酸クロルヘキシジン、ＰＨＭＢ（ポリヘキサメチレンビグアニド）、ビグアニドの塩、置換ビグアニド誘導体、四級アンモニウム含有化合物の有機塩、若しくは四級アンモニウム含有化合物の無機塩、又はこれらの混合物を挙げることができるが、これらに限定されない。
【０１３５】
一態様では、任意選択的に上記表面又は布地を洗浄及び／又はすすぐ工程と、当該表面又は布地を本明細書に開示する任意の組成物と接触させ、次いで、任意選択的に当該表面又は布地を洗浄及び／又はすすぐ工程とを含むこのような方法を、任意の乾燥工程と共に開示する。
【０１３６】
このような表面又は布地の乾燥工程は、家庭環境又は工業環境のいずれかで使用される、一般的な手段のうちの任意の１つにより実行することができる。布地は、通常の消費者による又は業務用の使用条件で洗濯することができる任意の布地を含んでもよく、本発明は、セルロース基材に好適であり、いくつかの態様では、ポリエステル及びナイロンなどの合成織物、並びに合成及びセルロース系の布地及び／又は繊維を含む混紡の布地及び／又は繊維の処理にも好適である。合成布地の例は、ポリエステル、ナイロンであり、これらは、セルロース系繊維、例えば、ポリコットン布地との混紡布中に存在し得る。溶液のｐＨは、典型的には、７〜１１、より一般的には、８〜１０．５である。本組成物は、典型的には、溶液中５００ｐｐｍ〜５，０００ｐｐｍの濃度で使用される。水温は、典型的には、約５℃〜約９０℃の範囲である。水の布地に対する比は、典型的には、約１：１〜約３０：１である。
【０１３７】
試験法
本明細書の試験方法で使用される布地見本は、Ｔｅｓｔｆａｂｒｉｃｓ，Ｉｎｃ．（Ｗｅｓｔ  Ｐｉｔｔｓｔｏｎ，ＰＡ）から入手され、１００％木綿のＳｔｙｌｅ  ４０３（２”×２”に切断）及び／又はＳｔｙｌｅ  ４６４（４”×６”に切断）、並びに増白されていない多繊維布地、具体的にはＳｔｙｌｅ  ４１（５ｃｍ×１０ｃｍ）である。
【０１３８】
乾燥布地見本におけるＬ＊、ａ＊、ｂ＊、Ｋ／Ｓ、及び白色度指数（ＷＩ  ＣＩＥ）の値を含むすべての反射スペクトル及び色測定値は、４つの分光光度計のうちの１つを用いて得られる：（１）Ｋｏｎｉｃａ  Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．，Ｒａｍｓｅｙ，ＮＪ，ＵＳＡ；Ｄ６５光源、１０°観察者、ＵＶ光除外）、（２）ＬａｂＳｃａｎ  ＸＥ反射分光光度計（ＨｕｎｔｅｒＬａｂｓ，Ｒｅｓｔｏｎ，ＶＡ；Ｄ６５光源、１０°観察者、ＵＶ光除外）、（３）Ｃｏｌｏｒ  Ｅｙｅ（登録商標）７０００Ａ（ＧｒｅｔａｇＭａｃｂｅｔｈ，Ｎｅｗ  Ｗｉｎｄｓｏｒ，ＮＹ，ＵＳＡ；Ｄ６５光、ＵＶ除外）、又は（４）Ｃｏｌｏｒ  ｉ７分光光度計（Ｘ−ｒｉｔｅ，Ｉｎｃ．，Ｇｒａｎｄ  Ｒａｐｉｄｓ，ＭＩ，ＵＳＡ；Ｄ６５光、ＵＶ除外）。
【０１３９】
別途記載のない限り、布地に照射する場合、最高キャビネット温度が３７℃、最高ブラックパネル温度（ＢＰＴブラックパネル形状）が５７℃、そして、３５％  ＲＨ（相対湿度）に設定されたＴｙｐｅ  Ｓ  Ｂｏｒｏｓｉｌｉｃａｔｅ内側（部品番号２０２７７３００）及び外側（部品番号２０２７９６００）フィルタを備えたＡｔｌａｓ  Ｘｅｎｏｎ  Ｆａｄｅ−Ｏｍｅｔｅｒ  Ｃｉ３０００＋（Ａｔｌａｓ  Ｍａｔｅｒｉａｌ  Ｔｅｓｔｉｎｇ  Ｔｅｃｈｎｏｌｏｇｙ（Ｍｏｕｎｔ  Ｐｒｏｓｐｅｃｔ，Ｉｌｌｉｎｏｉｓ，ＵＳＡ））において、４２０ｎｍで照射量０．７７Ｗ／ｍ２の模擬太陽光に、指定された乾燥後の布地を曝露する。別途記載のない限り、照射は、規定の持続時間にわたって連続的である。
【０１４０】
Ｉ．洗浄溶液からのロイコ化合物効率の測定方法
４９℃の増白剤無配合のヘビーデューティー液体洗濯洗剤（水溶液中１．５５ｇ／Ｌ）で２回洗浄することによって、使用前の綿見本（スタイル４６４）をストリッピングする。エタノール又は５０：５０のエタノール：水から選択される溶媒、好ましくはエタノールで、試験される各ロイコ結合体の濃縮原液を調製する。
【０１４１】
綿布のＬ＊、ａ＊、ｂ＊、及び白色度指数（ＷＩ  ＣＩＥ）の値はすべて、Ｋｏｎｉｃａ−Ｍｉｎｏｌｔａ  ３６１０ｄ反射分光光度計を用いて、乾燥した見本上で測定する。
【０１４２】
ベース洗浄液は、ＡＡＴＣＣヘビーデューティー液体洗濯洗剤無増白剤（５．２３ｇ／１．０Ｌ）を脱イオン水に溶解することによって調製される。４枚のストリッピングした綿布見本を一緒に計量し、２枚の１０ｍｍのガラスマーブルと共に２５０ｍＬの三角フラスコに入れる。試験される各洗浄溶液について、合計３つのこのようなフラスコを準備する。基本洗浄溶液にロイコ結合体原液を投入して、所望の２．００×１０−６当量／Ｌの洗浄濃度のロイコ結合体を含む洗浄溶液を得る。
【０１４３】
１０．０：１．０液：布地（ｗ／ｗ）比を提供するのに十分なこの洗浄溶液のアリコートを、３つの２５０ｍＬ三角フラスコのそれぞれに入れる。各フラスコに１０００ｇｐｇ硬度の原液を投入して、６ｇｐｇ（３：１  Ｃａ：Ｍｇ）の最終洗浄硬度を得る。
【０１４４】
フラスコをＭｏｄｅｌ  ７５リストアクションシェーカー（Ｂｕｒｒｅｌｌ  Ｓｃｉｅｎｔｉｆｉｃ，Ｉｎｃ．（Ｐｉｔｔｓｂｕｒｇ，ＰＡ））上に置き、最大設定で１２分攪拌した後、洗浄溶液を吸引除去し、用いられた洗浄溶液量と等価のすすぎ水（０ｇｐｇ）を添加する。各フラスコに１０００ｇｐｇ硬度の原液を投入して、６ｇｐｇ（３：１  Ｃａ：Ｍｇ）の最終すすぎ硬度を得た後、更に４分間撹拌する。すすぎ水を吸引によって除去し、布地見本を１分間脱水し（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．（Ｎａｓｈｕａ，ＮＨ））、次いで、１３５°Ｆに設定された食品脱水機内に入れて、暗所で２時間乾燥させる。この乾燥手順の後、サンプルを暗所で保管してもよく、又は異なる時間にわたって光に曝露した後に、布地の特性を測定してもよい。
【０１４５】
消費者の習慣は世界中で大きく異なるため、使用される方法は、条件にわたってロイコ化合物の効果を測定できることを可能にしなければならない。このような条件の１つは、乾燥後の光への曝露である。いくつかのロイコ化合物は、暗所貯蔵下では明所貯蔵下のように大きな効果を示さないため、各ロイコ化合物は、最適な効果を決定するために両方の条件の設定下で試験されなければならない。したがって、方法Ｉは、測定が行われる前に、様々な時間増分で、乾燥した布地を擬似太陽光に曝露することを含み、ＬＣＥ値は、以下に記載される曝露時間のセットから得られた最大値に設定される。
【０１４６】
Ａ．乾燥後の暗所条件
乾燥後、測定時点と測定時点との間は、布地を室温で暗所に保管する。綿布のＬ＊、ａ＊、ｂ＊、及び白色度指数（ＷＩ  ＣＩＥ）の値を、２時間の乾燥時間の終了後ｔ＝０、６、２４、及び４８時間の時点で測定する。各ロイコ着色剤について生成された１２個の見本（それぞれ４つの見本を含む３つのフラスコ）の値を平均して、各時点ｔにおけるＬ＊、ａ＊、ｂ＊、及びＷＩ  ＣＩＥのサンプル値を得る。
【０１４７】
対照処理についてのＬ＊、ａ＊、ｂ＊、及び白色度指数（ＷＩ  ＣＩＥ）値を得るために、以下を除いて上記手順を記載のとおり繰り返す：（１）脱イオン水中増白剤無配合のＡＡＴＣＣヘビーデューティー液体洗濯洗剤（５．２３ｇ／１．０Ｌ）を使用して対照ベース洗浄溶液を調製し、そして、（２）乾燥期間後に測定した、対照用に生成された１２個の見本の値を平均して、Ｌ＊、ａ＊、ｂ＊、及びＷＩ  ＣＩＥのサンプル値を得、ｔ＝０における対照値をｔ＝６、２４、及び４８時間に対する対照値としても使用する。
【０１４８】
以下の等式を使用して、各時点ｔで収集したデータに基づいて洗濯ケア配合物中のロイコ着色剤のロイコ着色剤効率（ＬＣＥ）を計算する：
ＬＣＥｔ＝ＤＥ＊＝（（Ｌ＊ｃ−Ｌ＊ｓ）２＋（ａ＊ｃ−ａ＊ｓ）２＋（ｂ＊ｃ−ｂ＊ｓ）２）１／２
（式中、下付き文字ｃ及びｓは、それぞれ、対照、すなわち、増白剤無配合のＡＡＴＣＣヘビーデューティー液体洗濯洗剤で洗浄された布地、及びサンプル、すなわち、ロイコ着色剤を含有する洗濯ケア配合物で洗浄された布地を指し、ＬＣＥｔを計算するために使用される値は、対応する時点ｔ（０、６、２４、又は４８時間）でのものである）。
【０１４９】
各洗浄溶液（それぞれ４つの見本を備える３つのフラスコ）に対して生成された１２個の見本のＷＩ  ＣＩＥ値を平均し、以下の等式を用いて洗浄時の白色度指数の変化を計算する。
ΔＷＩ＝ＷＩ  ＣＩＥ（洗浄後）−ＷＩ  ＣＩＥ（洗浄前）
【０１５０】
洗濯ケア配合物（ΔＷＩサンプル）及び増白剤無配合のＡＡＴＣＣ  ＨＤＬ（ΔＷＩ対照）について別個の値が存在する。２つの配合物間の白色度の変化は、以下によって与えられる：
δΔＷＩ＝ΔＷＩサンプル−ΔＷＩ対照
【０１５１】
Ｂ．乾燥後の明所条件
指定の乾燥後の綿布を、１５分、３０分、４５分、６０分、７５分、９０分、１２０分、及び２４０分間にわたって模擬太陽光に曝露する。各曝露期間後に見本上で、綿布のＬ＊、ａ＊、ｂ＊、及び白色度指数（ＷＩ  ＣＩＥ）の値を測定する。各曝露時点におけるＬＣＥ及びΔＷＩ値の計算は、上記の方法Ｉ．Ａ．に記載のとおりであり、サンプル及び対照の洗濯ケア配合物のＬＣＥ値及びΔＷＩ値は、列挙される曝露時間のセットから得られる最大値に設定する。
【０１５２】
ＩＩ．（ＡＡＴＣＣ対照に対する）相対色相角を求める方法
上記の方法Ｉに従って処理された綿布にロイコ着色剤によってもたらされる相対色相角は、以下のように求められる。
ａ）各溶液からの１２の見本のａ＊値及びｂ＊値を平均し、以下の式を使用してΔａ＊及びΔｂ＊を求める。
Δａ＊＝ａ＊ｓ−ａ＊ｃ      及び      Δｂ＊＝ｂ＊ｓ−ｂ＊ｃ
（式中、下付き文字ｃ及びｓは、それぞれ、増白剤無配合のＡＡＴＣＣヘビーデューティー液体洗濯洗剤（対照）で洗浄された布地、及びロイコ着色剤を含有する洗濯ケア配合物で洗浄された布地（サンプル）を指す）。
ｂ）Δａ＊及びΔｂ＊の両方の絶対値が＜０．２５である場合、相対色相角（Relative Hue Angle、ＲＨＡ）は計算されない。Δａ＊又はΔｂ＊のいずれかの絶対値が≧０．２５である場合、ＲＨＡは以下の式の１つを用いて求められる：
Δｂ＊≧０の場合、ＲＨＡ＝ＡＴＡＮ２（Δａ＊，Δｂ＊）
Δｂ＊＜０の場合、ＲＨＡ＝３６０＋ＡＴＡＮ２（Δａ＊，Δｂ＊）
【０１５３】
相対色相角は、乾燥後の暗所における評価又は乾燥後の明所における評価のいずれかでデータが収集される各時点について計算することができる。請求項の要件を満たすためにこれら時点のいずれを使用してもよい。
【０１５４】
ＩＩＩ．ロイコ着色剤及びその酸化型の表面張力値を測定する方法。
試験される材料は、本発明によるロイコ着色剤、又はロイコ着色剤の第２の有色状態を表す染料（例えば、トリアリールメタン染料）のいずれかである。合計２５０〜２５５ｍｇの試験される材料を、４ｏｚ．のガラスジャーに量り入れ、５０．０ｍＬの脱イオン水（Ｂａｒｎｓｔｅｓ  Ｂ−Ｐｕｒｅ  Ｓｙｓｔｅｍ、約１７．２７オーム）を磁気撹拌棒と共に添加する。ジャーに蓋をし、電磁撹拌プレート上に置き、混合物を２２．０℃で１時間撹拌する。その後、撹拌を停止し、混合物を１時間乱さずに放置する。その時間の終わりに、１０．０ｍＬの溶液をシリンジ内に引き入れ、次いで、これにガラスファイバーＡｃｒｏｄｉｓｃ（登録商標）フィルタを取り付け、アリコートを濾過して２０ｍＬシンチレーションバイアルに入れる。ＶＷＲ  ＬａｂＭａｘ  Ｐｉｐｅｔｔｏｒを使用して、４５．０マイクロリットルの濾過された溶液を９６ウェルプレートの８つの別個のウェルのそれぞれに供給するためにピペッティングする。溶液を、Ｋｉｂｒｏｎ  Ｄｅｌｔａ  ８  Ｔｅｎｓｉｏｍｅｔｅｒを用いて約２２．０℃で試験し、８つの測定された複製の平均値をｍＮ／ｍの表面張力値として報告する。
【０１５５】
実施例Ｉ保管時の液体洗剤製品の外観に対する一級、二級、及び三級アミンの影響の試験
以下の表１に記載の組成を有する、０．００重量％（配合物Ａ）又は０．０３０重量％（配合物Ｂ〜Ｇ）のロイコ着色剤１を含む一連のヘビーデューティー液体洗剤配合物を調製した。０．００重量％（配合物Ｈ）又は０．０１７重量％（配合物Ｉ〜Ｎ）のロイコ着色剤１を含む第２の一連の配合物を同様に調製した。必要に応じて、ＮａＯＨ溶液を滴下して最終ｐＨを８．３に調整した。
【０１５６】
【化７】
2020535294.tif 000008
【０１５７】
【表１】
2020535294.tif 000009
【０１５８】
各配合物を暗所において４０℃で１００日間保管した。保管中の異なる日に、各配合物について吸光度（５９７ｎｍ；１．０ｃｍの経路長）を測定した。配合物Ａ〜Ｇについて測定した日における吸光度の値を以下の表２に示す。
【０１５９】
【表２】
2020535294.tif 000010
【０１６０】
一級アミンを含有する２つの配合物（配合物Ｂ及びＧ）は、アミンを添加しなかった（配合物Ａ）又は三級アミンを含有する（配合物Ｃ〜Ｆ）ものよりも、保管時に経時的に顕著に高い発色を示す。
【０１６１】
配合物Ｈ〜Ｎについて測定した日における吸光度の値を以下の表３に示す。
【０１６２】
【表３】
2020535294.tif 000011
【０１６３】
一級アミン、すなわちモノエタノールアミン（配合物Ｉ）及び３−アミノ−１−プロパノール（配合物Ｍ）を含有する配合物は、アミンを添加しなかったもの（配合物Ｈ）、環状（配合物Ｊ）若しくは非環式（配合物Ｋ及びＬ）の二級アミン、又は三級アミン（配合物Ｎ）を含有するものよりも保管時に経時的に顕著に高い発色を示す。
【０１６４】
実施例ＩＩ異なる量のモノエタノールアミン及び酸化防止剤を含む組成物の保管時の製品外観に対する影響の試験。
実施例ＩＩＡ：以下の表４に記載の組成を有する、０．０１７重量％のロイコ着色剤１を含むヘビーデューティー液体洗剤配合物Ｏ及びＰを調製した。
【０１６５】
【表４】
2020535294.tif 000012
＊硬化ヒマシ油中の微量ＭＥＡ
【０１６６】
異なる濃度の酸化防止剤３，５−ジ−ｔｅｒｔ−ブチル−４−ヒドロキシトルエン（ＢＨＴ）を、以下に指定するとおり配合物Ｏ及びＰに添加する。その後、得られた配合物をエージングし、初期組成物（０日目）に対するΔＥ＊を、４０℃（表５）及び２５℃（表６）において指定の時点で記録する。
【０１６７】
【表５】
2020535294.tif 000013
【０１６８】
【表６】
2020535294.tif 000014
【０１６９】
２つの温度で９９日間にわたる色変化の後、以下の結論を導き出すことができる。各保管温度において、使用されるモノエタノールアミンの所与の濃度について、酸化防止剤の量が増加するにつれて色変化が減少する。所与の温度及び酸化防止剤の濃度について、配合物Ｐは、より高い濃度のモノエタノールアミンを含む配合物Ｏよりも、経時的により少ない色変化を示す。一級アミンの存在によって引き起こされる色変化は、アミンの濃度が増加するにつれて増加するが、この変化は、添加する酸化防止剤の濃度を増大させることによって顕著に抑制することができる。
【０１７０】
実施例ＩＩＢ：以下の表７に記載の組成を有する、ヘビーデューティー液体洗剤配合物Ｑ、Ｒ、Ｓ、及びＴを調製した。
【０１７１】
【表７】
2020535294.tif 000015
【０１７２】
続いて、得られた配合物を暗所で４０℃においてエージングし、表８に示す時点での５９７ｎｍにおける吸光度値を記録する。
【０１７３】
【表８】
2020535294.tif 000016
【０１７４】
上記表の結果は、酸化防止剤を全く含有しない製品では、モノエタノールアミンを含む製品（製品Ｒ）が、モノエタノールアミンを含有しない製品Ｑよりも経時的に大幅に高い発色を示したことを示している。更に、酸化防止剤の添加によって色変化を大きく打ち消すことができる（製品ＴをＳと比較）。
【０１７５】
配合例
以下は、本開示に係る洗浄組成物の例示の実施例であり、限定を意図するものではない。モノエタノールアミンが指定されている場合、任意の好適な一級アミンで置き換えてもよい。トリエタノールアミンが指定されている場合、任意の好適な二級及び／又は三級アミンで置き換えてもよい。ＢＨＴが指定されている場合、任意の好適な酸化防止剤で置き換えてもよい。
【０１７６】
実施例１〜７：ヘビーデューティー液体洗濯洗剤組成物。
【０１７７】
【表９】
2020535294.tif 000017
【０１７８】
洗浄及び／又は処理組成物の総重量に基づく。酵素濃度は、原材料として報告される。
【０１７９】
実施例８〜１８：単位用量組成物。
これらの実施例は、単位用量洗濯洗剤用の様々な配合物を提供する。組成物８〜１２は、単一の単位用量コンパートメントを含む。組成物を封入するために使用されるフィルムは、ポリビニルアルコール系フィルムである。
【０１８０】
【表１０】
2020535294.tif 000018
【０１８１】
洗浄及び／又は処理組成物の総重量に基づく。酵素濃度は、原材料として報告される。
【０１８２】
以下の実施例では、単位用量は３つのコンパートメントを有するが、同様の組成物を２つ、４つ又は５つのコンパートメントで作製することもできる。各コンパートメントを封入するために使用されるフィルムは、ポリビニルアルコールである。
【０１８３】
【表１１】
2020535294.tif 000019
【０１８４】
【表１２】
2020535294.tif 000020
【０１８５】
洗浄及び／又は処理組成物の総重量に基づいて、酵素レベルは原材料として報告する。
【０１８６】
【表１３−１】
2020535294.tif 000021
【０１８７】
【表１３−２】
2020535294.tif 000022
【０１８８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１８９】
相互参照される又は関連するすべての特許又は特許出願、及び本願が優先権又はその利益を主張する任意の特許出願又は特許を含む、本願に引用されるすべての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１９０】
本発明の特定の実施形態を例示及び説明してきたが、本発明の趣旨及び範囲から逸脱することなくその他の種々の変更及び修正を行うことができる点が、当業者には明白であろう。したがって、本発明の範囲内に含まれるこのようなすべての変更及び修正は、添付の特許請求の範囲において網羅することを意図したものである。
【国際調査報告】
2020535294.tif 000024
2020535294.tif 000025